(57)【特許請求の範囲】
【請求項１】
前面側に遊技領域が形成されている遊技盤と、
前記遊技盤の前面から起立する壁状をなし、遊技球がその壁面に沿って移動することにより同遊技球を前記遊技領域に誘導する誘導手段と、
前記遊技盤を着脱可能に支持する支持枠と、
前記支持枠に対する上下左右方向の位置が規定されるように前記支持枠に固定されているとともに、前記遊技盤の下端に沿って配置されている支持枠補強部材と、
前記支持枠補強部材に設けられ、前記支持枠に対しての前記遊技盤の上下左右方向の取付位置を規定する位置決め手段と、
遊技球発射部と、この遊技球発射部によって発射された遊技球を前記誘導手段に導く発射レール部と、前記誘導手段側の端部が上位となるように傾けて配置された状態で前記発射レール部が固定され且つ前記発射レール部の下端部側にて前記遊技球発射部が搭載されているベース体と、を有する発射ユニットと、
を備え、
前記ベース体は、当該ベース体において前記遊技盤側となる部位であって前記発射レール部の上端部寄りとなる部位と前記遊技球発射部寄りとなる部位にて前記支持枠補強部材に対して位置決めされていることを特徴とする遊技機。
【発明の詳細な説明】
【技術分野】
【０００１】
本発明は、遊技機に関するものである。
【背景技術】
【０００２】
パチンコ機等の遊技機には、遊技盤を枠体に搭載してなる遊技機本体を備えているものがある。遊技盤の前面にはレール部材が設けられており、同遊技盤の前面のうちこのレール部材によって囲まれた領域が遊技領域となっている。遊技機本体の前面側には当該遊技機本体を覆う扉体が設けられており、同扉体において遊技盤の前方となる位置に配設された透明パネルを介して遊技領域が視認可能となっている。遊技者により遊技球発射ハンドルが操作されると遊技球発射装置から遊技球が発射される。遊技球発射装置は遊技球の発射方向を規定する発射レールを有している。この発射レールから発射された遊技球は、上記レール部材に沿って移動することにより遊技領域に導かれることとなる。
【０００３】
一般的に、このような遊技機においては遊技盤が枠体に対して着脱可能に取り付けられており、遊技盤の着脱を可能とすることで遊技盤等のメンテナンス作業の容易化や機種変更時における同遊技盤の入替作業の容易化が図られている（例えば特許文献１参照）。
【先行技術文献】
【特許文献】
【０００４】
【特許文献１】特開平６−４７１５７号公報
【発明の概要】
【発明が解決しようとする課題】
【０００５】
しかしながら、遊技盤を枠体に対して着脱可能なタイプの遊技機においては、遊技盤の取付位置精度や取付安定性等、未だ改善の余地がある。
【０００６】
本発明は、上記例示した事情等に鑑みてなされたものであり、遊技盤の取り付けを好適なものとすることができる遊技機を提供することを目的とするものである。
【課題を解決するための手段】
【０００７】
以下、上記課題を解決するための手段について記載する。
【０００８】
請求項１記載の発明は、
前面側に遊技領域が形成されている遊技盤と、
前記遊技盤の前面から起立する壁状をなし、遊技球がその壁面に沿って移動することにより同遊技球を前記遊技領域に誘導する誘導手段と、
前記遊技盤を着脱可能に支持する支持枠と、
前記支持枠に対する上下左右方向の位置が規定されるように前記支持枠に固定されているとともに、前記遊技盤の下端に沿って配置されている支持枠補強部材と、
前記支持枠補強部材に設けられ、前記支持枠に対しての前記遊技盤の上下左右方向の取付位置を規定する位置決め手段と、
遊技球発射部と、この遊技球発射部によって発射された遊技球を前記誘導手段に導く発射レール部と、前記誘導手段側の端部が上位となるように傾けて配置された状態で前記発射レール部が固定され且つ前記発射レール部の下端部側にて前記遊技球発射部が搭載されているベース体と、を有する発射ユニットと、
を備え、
前記ベース体は、当該ベース体において前記遊技盤側となる部位であって前記発射レール部の上端部寄りとなる部位と前記遊技球発射部寄りとなる部位にて前記支持枠補強部材に対して位置決めされていることを特徴とする。
【発明の効果】
【０００９】
遊技盤の取り付けを好適なものとすることができる。
【図面の簡単な説明】
【００１０】
【図１】一実施の形態におけるパチンコ機を示す正面図である。
【図２】パチンコ機の主要な構成を展開して示す斜視図である。
【図３】前扉枠の構成を示す背面図である。
【図４】内枠の構成を示す正面図である。
【図５】内枠から遊技盤を取り外した状態を示す正面斜視図である。
【図６】遊技盤の構成を示す正面図である。
【図７】内枠の構成を示す背面図である。
【図８】遊技盤の背面構成を示す斜視図である。
【図９】パチンコ機の構成を示す背面図である。
【図１０】裏パックユニットの構成を示す正面図である。
【図１１】図４のＡ−Ａ線部分断面図である。
【図１２】図５の部分拡大図である。
【図１３】内枠から主要な構成を取り外した状態を示す分解斜視図である。
【図１４】図４のＢ−Ｂ線部分断面図である。
【図１５】（ａ）ロック装置の斜視図、（ｂ）ロック装置の分解斜視図である。
【図１６】図４のＣ−Ｃ線部分断面図である。
【図１７】ロック装置の動作説明図である。
【図１８】パチンコ機の電気的構成を示すブロック図である。
【図１９】位置決め手段の変形例を示す概略図である。
【発明を実施するための形態】
【００１１】
以下、遊技機の一種であるパチンコ遊技機（以下、「パチンコ機」という）の一実施の形態を、図面に基づいて詳細に説明する。図１はパチンコ機１０の正面図、図２はパチンコ機１０の主要な構成を展開して示す斜視図である。なお、図２では便宜上パチンコ機１０の遊技領域内の構成を省略している。
【００１２】
図１に示すように、パチンコ機１０は、当該パチンコ機１０の外殻を形成する外枠１１と、この外枠１１に取り付けられた遊技機主部１２とを有している。
【００１３】
外枠１１は木製の板材を四辺に連結し構成されるものであって矩形枠状をなしている。パチンコ機１０は、外枠１１を島設備に取り付け固定することにより、遊技場の島設備に設置される。なお、パチンコ機１０において外枠１１は必須の構成ではなく、遊技場の島設備に外枠１１が備え付けられた構成としてもよい。
【００１４】
この外枠１１によって遊技機主部１２が開閉可能な状態で支持されている。具体的には、図１に示すように、外枠１１における上枠部と左枠部との連結部分に上側支持用金具１７が固定されており、さらに外枠１１における下枠部と左枠部との連結部分に下側支持用金具１８が設けられている。これら上側支持用金具１７及び下側支持用金具１８により支持機構が構成され、当該支持機構により外枠１１に対して遊技機主部１２がパチンコ機１０の正面視で左側を回動基端側、右側を回動先端側としてパチンコ機１０の前方へ回動可能とされている。
【００１５】
図２に示すように、遊技機主部１２は、ベース体としての内枠１３と、その内枠１３の前方に配置される前扉枠１４と、内枠１３の後方に配置される裏パックユニット１５とを備えている。なお、遊技機主部１２のうち内枠１３が外枠１１に対して回動可能に支持されている。
【００１６】
内枠１３には、前扉枠１４が回動可能に支持されており、正面視で左側を回動基端側とし右側を回動先端側として前方へ回動可能とされている。また、内枠１３には、裏パックユニット１５が回動可能に支持されており、正面視で左側を回動基端側とし右側を回動先端側として後方へ回動可能とされている。
【００１７】
次に、前扉枠１４について説明する。なお、以下の説明では、図１及び図２を参照するとともに、前扉枠１４の背面の構成については図３を参照する。図３は前扉枠１４の背面図である。
【００１８】
図２に示すように、前扉枠１４は、外形が外枠１１とほぼ同一形状をなす合成樹脂製の枠体２０を主体に構成されており、内枠１３における前面側のほぼ全域を覆っている。枠体２０の中央部分には後述する遊技領域ＰＥのほぼ全域を前方から視認することができるようにした略楕円状の窓部２１が形成されており、その窓部２１はガラスユニット３０によって同前扉枠１４の背面側から覆われている。
【００１９】
図３に示すように、枠体２０には窓部２１を囲むようにしてガラスユニット設置部２２が形成されている。詳しくは、ガラスユニット設置部２２は、枠体２０の背面側に配されているとともにパチンコ機１０の前方に向けて凹んでおり、その底部に上記窓部２１が配設されている。ガラスユニット３０は、ガラスユニット設置部２２に嵌まることで上下方向及び左右方向への変位が規制されている。
【００２０】
ガラスユニット３０は、透明性を有するガラスパネル３１，３２と、それらガラスパネル３１，３２を保持するガラスホルダ３３とを備えている。ガラスホルダ３３は、窓部２１に沿って形成された環状の枠部３４を有しており、同枠部３４によって囲まれた領域にガラスパネル３１，３２が収容されている。
【００２１】
枠部３４には、ガラスパネル３１，３２を収容している側とは反対側に突出するようにして枠体２０に対する取付部３５が複数形成されている。取付部３５は枠体２０の背面に対向する板状をなしており、枠体２０には、これら取付部３５を同枠体２０との間に挟んで挟持するレバー部材２３が設けられている。レバー部材２３は、取付部３５を挟持する挟持位置と挟持しない解除位置とに回動可能な状態で取り付けられている。レバー部材２３において取付部３５と対向している部分には同取付部３５側に突出する凸部が形成されており、同凸部が取付部３５に形成された凹部に嵌まることにより、上記挟持位置から解除位置への移動が規制された状態、すなわち挟持位置にて保持された状態となっている。
【００２２】
また、枠部３４には、上記囲まれた領域を前後に仕切る仕切り部が形成されている。仕切り部は、枠部３４の中央側へ起立しており、当該枠部３４の周方向に延びる突条をなしている。つまり、同仕切り部によって各ガラスパネル３１，３２を収容する収容部が区画されている。
【００２３】
各ガラスパネル３１，３２は、仕切り部を挟んで相対向した状態で、ガラスホルダ３３に対して接着されている。これにより、ガラスパネル３１，３２の間に所定の隙間が確保され、両ガラスパネル３１，３２同士の干渉を回避しつつ、それらガラスパネル３１，３２によって遊技領域ＰＥをパチンコ機１０の正面側から２重に覆った状態となっている。
【００２４】
再び図１を参照して説明すれば、窓部２１の周囲には各種ランプ等の発光手段が設けられている。例えば、窓部２１の周縁に沿ってＬＥＤ等の発光手段を内蔵した環状電飾部２４が設けられている。環状電飾部２４では、大当たり時や所定のリーチ時等における遊技状態の変化に応じて点灯や点滅が行われる。また、環状電飾部２４の中央であってパチンコ機１０の最上部には所定のエラー時に点灯するエラー表示ランプ部２５が設けられ、窓部２１の左右両側には賞球払出中に点灯する賞球ランプ部２６が設けられている。また、中央のエラー表示ランプ部２５に近接した位置には、遊技状態に応じた効果音などが出力されるスピーカ部２７が設けられている。
【００２５】
前扉枠１４における窓部２１の下方には、手前側へ膨出した上側膨出部２８と下側膨出部２９とが上下に並設されている。上側膨出部２８内側には上方に開口した上皿２８ａが設けられており、下側膨出部２９内側には同じく上方に開口した下皿２９ａが設けられている。上皿２８ａは、後述する払出装置より払い出された遊技球を一旦貯留し、一列に整列させながら後述する遊技球発射機構側へ導く機能を有している。また、下皿２９ａは、上皿２８ａ内にて余剰となった遊技球を貯留する機能を有している。
【００２６】
下側膨出部２９並びとなる位置には、手前側へ突出するようにして遊技球発射ハンドル４１が設けられている。遊技球発射ハンドル４１が操作されることにより、後述する遊技球発射機構から遊技球が発射される。
【００２７】
前扉枠１４の背面には、図２及び図３に示すように、通路形成ユニット５０が取り付けられている。通路形成ユニット５０は、合成樹脂により成形されており、上皿２８ａに通じる前扉側上皿通路５１と、下皿２９ａに通じる前扉側下皿通路５２とが形成されてなる。通路形成ユニット５０において、その上側隅部には後方に突出し上方に開放された受口部５３が形成されており、当該受口部５３を仕切壁５４によって左右に仕切ることで前扉側上皿通路５１の入口部分と前扉側下皿通路５２の入口部分とが区画形成されている。前扉側上皿通路５１及び前扉側下皿通路５２は上流側が後述する遊技球分配部に通じており、前扉側上皿通路５１に入った遊技球は上皿２８ａに導かれ、前扉側下皿通路５２に入った遊技球は下皿２９ａに導かれる。
【００２８】
次に、図４及び図５に基づき内枠１３について詳細に説明する。図４は内枠１３の正面図、図５は内枠１３から主要な構成を取り外した状態を示す正面斜視図である。なお、図４においては、図２と同様にパチンコ機１０の遊技領域内の構成を省略している。
【００２９】
内枠１３は、外形が外枠１１とほぼ同一形状をなす樹脂ベース６０を主体に構成されている。図４に示すように、樹脂ベース６０の前面における回動基端側（図５の左側）には、その上端部及び下端部に支持金具７１，７２が取り付けられている。また、前扉枠１４の背面における回動基端側（図３の右側）には、それら支持金具７１，７２に対応させて突起軸５７，５８が設けられている。図示は省略するが、支持金具７１，７２には軸孔が形成されており、それら軸孔に前扉枠１４の突起軸５７，５８が挿入されることにより、内枠１３に対して前扉枠１４が回動可能に支持されている。つまり、これら支持金具７１，７２及び突起軸５７，５８は内枠１３に対する前扉枠１４の組付機構を構成している。
【００３０】
内枠１３の前面には施錠装置７５が設けられている。施錠装置７５は、前扉枠１４に向けて延びる複数の前扉用鉤部材７６を有している。これら前扉用鉤部材７６に対応させて、前扉枠１４の背面には内枠１３側に延びる鉤受け部材５９が複数設けられている。前扉用鉤部材７６が鉤受け部材５９に引っ掛かることにより前扉枠１４が閉じた状態で施錠される。また、施錠装置７５は、内枠１３の後方へ延びる内枠用鉤部材７７を有している。これら内枠用鉤部材７７が外枠１１の鉤受け部材１９に引っ掛かることにより遊技機主部１２が外枠１１に対して閉じた状態で施錠される。
【００３１】
樹脂ベース６０の右下隅部には、施錠装置の解錠操作を行うためのシリンダ錠７８が設置されている。シリンダ錠７８は施錠装置に一体化されており、その先端部分（鍵穴部分）が上記前扉枠１４に設けられた孔部を通じてパチンコ機１０の前方に露出している。シリンダ錠７８の鍵穴に差し込んだキーを右に回すことで内枠１３に対する前扉枠１４の施錠が解除され、同キーを左に回すことで外枠１１に対する内枠１３の施錠が解除される。
【００３２】
樹脂ベース６０の前面における略中央部分には、遊技盤８０を収容する遊技盤収容部６１が形成されている。遊技盤収容部６１は、パチンコ機１０の後方に凹み、遊技盤８０を収容する収容空間を区画形成しており、樹脂ベース６０に取り付けられた遊技盤８０がその収容空間に嵌まった状態となっている。
【００３３】
図５に示すように、遊技盤収容部６１は、遊技盤８０の背面に対向する平板状の対向板部６２と、同対向板部６２から起立し遊技盤８０の周縁に沿って延びる周壁部６３とによって構成されている。対向板部６２は、その略中央に上述した中央開口６４が形成されており、内枠１３の正面視において略矩形枠状をなしている。周壁部６３は、遊技盤８０における上下左右の各端面に対して個々に対向する上側壁部６５，下側壁部６６，左側壁部６７，右側壁部６８が連なってなり、全体として遊技盤８０を囲む環状をなしている。なお、周壁部６３は中央開口６４を囲むようにして形成されているとも言える。
【００３４】
遊技盤８０は、木製の合板と同合板における前側の板面を覆うシート材とを有してなり、その前面が遊技盤収容部６１の開放部分を通じて樹脂ベース６０の正面側に露出している。この露出している部位、すなわち遊技盤８０の前面には、遊技球が流下する遊技領域ＰＥが形成されている。既に説明したように遊技領域ＰＥはガラスパネル３２によって覆われている。ガラスパネル３２は、遊技盤８０の前面との隙間が遊技球の直径よりも僅かに大きくなるように、すなわち遊技領域ＰＥを流下する遊技球が同遊技領域ＰＥの同一箇所にて前後に並ばないように配置されている。これにより、遊技領域ＰＥでの球詰まりを抑制している。なお、遊技盤８０は木製に限定されるのものではなく、合成樹脂材料製とすることも可能である。
【００３５】
以下、図６に基づき遊技盤８０（特に遊技領域ＰＥに配された各種構成）について説明する。図６は遊技盤８０の正面図である。
【００３６】
遊技盤８０には、ルータ加工が施されることによって自身の厚さ方向（前後方向）に貫通する大小複数の開口が形成されている。各開口には、一般入賞口８１、可変入賞装置８２、作動口８３ａ，８３ｂ、スルーゲート８４及び可変表示ユニット８５等がそれぞれ設けられている。一般入賞口８１、可変入賞装置８２及び作動口８３ａ，８３ｂに遊技球が入ると、それら遊技球が後述する検知スイッチにより検知され、その検知結果に基づいて所定数の賞球の払い出しが実行される。その他に、遊技盤８０の最下部にはアウト口８６が設けられており、各種入賞口等に入らなかった遊技球はアウト口８６を通って遊技領域ＰＥから排出される。
【００３７】
また、遊技盤８０には、遊技球の流下経路を適宜分散，調整等するために多数の釘８７が植設されているとともに、風車等の各種部材（役物）が配設されている。これら釘８７や風車等の各種構成によって、遊技球の流下経路が分化され、上述した一般入賞口８１等への入賞が適度な確立で発生するように調整されている。
【００３８】
可変入賞装置８２は、通常は遊技球が入賞できない又は入賞し難い閉状態になっており、大当たりの際に遊技球が入賞しやすい所定の開放状態に切り換えられるようになっている。可変入賞装置８２の開放態様としては、所定時間（例えば３０秒間）の経過又は所定個数（例えば１０個）の入賞を１ラウンドとして、同可変入賞装置８２の開放が複数ラウンド（例えば１５ラウンド）を上限として繰り返されるように設定されている。
【００３９】
可変表示ユニット８５は遊技盤８０の中央上寄りに配置されており、その下方に作動口８３ａ，８３ｂが配置されている。より詳しくは、作動口８３ａ，８３ｂは、作動口８３ａを上側、作動口８３ｂを下側として上下に並設されている。可変表示ユニット８５及び作動口８３ａ，８３ｂは、遊技性を司る部位であり遊技者の注意が集まりやすい。それら可変表示ユニット８５及び作動口８３ａ，８３ｂを遊技機中央において上下に並べて配置することで両者間での視線の移動量を抑え、遊技者の目に生じる負担の低減に貢献している。
【００４０】
可変表示ユニット８５は、作動口８３ａ，８３ｂへの入賞をトリガとして図柄を可変表示する図柄表示装置９４を備えている。図柄表示装置９４は、液晶ディスプレイ（表示画面９４ａ）を備えた液晶表示装置として構成されており、後述する表示制御装置によりその表示内容が制御されている。具体的には、表示画面９４ａにおいては、上段，中段及び下段に並べて図柄が表示され、これらの図柄が左右方向にスクロールされるようにして変動表示される。そして、大当たり発生時には、予め設定されている有効ライン上に所定の組合せの図柄が停止表示され、特別遊技状態へと移行される。なお、表示画面９４ａにおける表示態様を以下のように変更してもよい。すなわち、左，中及び右に並べて図柄を表示し、それら図柄を上下スクロールさせるようにして変動表示させてもよい。
【００４１】
また、可変表示ユニット８５は、図柄表示装置９４を囲むようにして形成されたセンターフレーム９５を備えている。センターフレーム９５の上部には、第１特定ランプ部９６及び第２特定ランプ部９７が設けられている。また、センターフレーム９５の上部及び下部にはそれぞれ保留ランプ部９８，９９が設けられている。下側の保留ランプ部９８は、図柄表示装置９４及び第１特定ランプ部９６に対応しており、遊技球が作動口８３を通過した回数は最大４回まで保留され保留ランプ部９８の点灯によってその保留個数が表示されるようになっている。上側の保留ランプ部９９は、第２特定ランプ部９７に対応しており、遊技球がスルーゲート８４を通過した回数は最大４回まで保留され保留ランプ部９９の点灯によってその保留個数が表示されるようになっている。
【００４２】
再び図５を用いて説明すれば、樹脂ベース６０における遊技盤収容部６１（遊技盤８０）の下方には、遊技球発射ハンドル４１の操作に基づいて遊技領域ＰＥへ遊技球を発射する遊技球発射機構１１０が設けられている。図４に示すように、遊技球発射機構１１０は、所定の発射待機位置に配置された遊技球を打ち出すソレノイド１１１と、同ソレノイド１１１によって打ち出された遊技球の発射方向を規定する発射レール１１２と、上記発射待機位置に遊技球を供給する球送装置１１３と、それら各種構成１１１〜１１３が装着されているベースプレート１１４とを主要な構成として備えており、同ベースプレート１１４が後述する補強プレートを介して樹脂ベース６０に取り付けられている。
【００４３】
発射レール１１２は、遊技盤８０側に向けて上り傾斜となるように、斜めに傾いた状態でベースプレート１１４に固定されている。発射レール１１２の下流側の端部（すなわち下端部）寄りとなる位置には、球送装置１１３から供給された遊技球を上述した発射待機位置に留める球ストッパが配されている。球ストッパよりも更に下流側となる位置に、上記ソレノイド１１１が配置されている。
【００４４】
ソレノイド１１１は、後述する電源・発射制御装置に対して電気的に接続されている。その電源・発射制御装置からの電気的な信号の出力に基づいてソレノイド１１１の出力軸が伸縮方向に往復動することにより、発射待機位置に置かれた遊技球が遊技盤８０側、詳しくは遊技盤８０に装着された誘導レール１００に向けて打ち出される。
【００４５】
誘導レール１００は、遊技領域区画部材と共に遊技領域ＰＥを同遊技領域ＰＥの外形が略円形状となるように区画形成している。また、誘導レール１００は、遊技球の直径よりも若干大きな隙間を隔てて対峙するように配置された内レール１０１及び外レール１０２からなり、それら両レール１０１，１０２によって一条の誘導通路１０３が区画形成されている。誘導通路１０３は、発射レール１１２の先端側（斜め下方）に開放された入口部分１０４と、遊技領域ＰＥの上部に位置する出口部分１０５とを有している。ソレノイド１１１の動作に基づいて発射された遊技球は、発射レール１１２→誘導レール１００（入口部分１０４→出口部分１０５）の順に移動することにより遊技領域ＰＥに導かれる。なお、遊技盤８０において出口部分１０５の先側、詳しくは内レール１０１の先端付近には、遊技領域ＰＥに到達した遊技球の同誘導通路１０３内への逆戻りを防止する逆戻り防止部材１０６が取り付けられており、先んじて遊技領域ＰＥに至った遊技球によって後続する遊技球の打ち出しが妨げられることを抑制している。
【００４６】
誘導レール１００を構成している各レール１０１，１０２は、遊技領域ＰＥの略中央部分を中心とする円弧状をなしている。このため、誘導通路１０３を通過する遊技球は、自身に発生する遠心力により外レール１０２に沿って、すなわち外レール１０２に接触したまま移動（摺動又は転動）しやすくなっている。
【００４７】
誘導レール１００は、遊技球発射ハンドル４１が遊技球を遊技領域ＰＥに到達させることができる程度に操作された場合に、すなわち遊技球発射ハンドル４１の操作量が第１の規定量を超えた場合に、発射レール１１２から打ち出された遊技球が当該誘導レール１００の入口部分１０４、詳しくは外レール１０２において発射レール１１２の延長上に位置する特定部位ＳＰに着地するように形成されている。
【００４８】
外レール１０２は、その特定部位ＳＰにおける接線ＴＬの向きが発射レール１１２のレール方向と略同一となるように形成されている。発射された遊技球の移動方向と、特定部位ＳＰの接線ＴＬ方向を揃えることにより、遊技球の着地によって生じる衝撃を低減するとともに同遊技球の跳ね返りを抑え、誘導レール１００によるそれら遊技球の円滑な誘導を可能としている。
【００４９】
なお、外レール１０２は、当該外レール１０２を遊技盤８０に対して固定する固定手段として複数の固定ピン１０２ａを備えている。固定ピン１０２ａは外レール１０２に沿って配設されており、それら固定ピン１０２ａの間に上記特定部位ＳＰが設定されている。これにより、特定部位ＳＰでの外レール１０２の若干の撓み変形（弾性変形）を許容し、同特定部位ＳＰに遊技球が着地した際の衝撃を低減することが可能となっている。
【００５０】
同図５に示すように、誘導レール１００及び発射レール１１２は、同誘導レール１００の入口部分１０４と発射レール１１２の先端部分とが遊技盤８０の下端縁を挟んで斜めに対峙するように配置されている。つまり、それら両レール１００，１１２は、同誘導レール１００の入口部分１０４と発射レール１１２の先端部分とが遊技盤８０の下端縁近傍にて左右にずれるようにして配置されている。これにより両レール１００，１１２を遊技盤８０の下端縁に近づけつつ、誘導レール１００の入口部分１０４と発射レール１１２との間には所定間隔の隙間を形成している。
【００５１】
このようにして形成された隙間よりも下側にはファール球通路５５が配設されている。ファール球通路５５は前扉枠１４の通路形成ユニット５０に一体成形されている。仮に遊技球発射機構１１０から発射された遊技球が遊技領域ＰＥまで至らずファール球として誘導通路１０３内を逆戻りする場合には、それらファール球が上記隙間を介してファール球通路５５内に入ることとなる。ファール球通路５５は前扉側下皿通路５２に通じており、ファール球通路５５に入った遊技球は図１に示した下皿２９ａに排出される。これにより、ファール球と次に発射される遊技球との干渉が抑制される。
【００５２】
樹脂ベース６０において発射レール１１２の左方（詳しくは前扉枠１４を支持している側）には樹脂ベース６０を前後方向に貫通する貫通孔が形成されており、この貫通孔に通路形成部材１２１が配設されている。通路形成部材１２１は、樹脂ベース６０に対してネジ止めされており、本体側上皿通路１２２と本体側下皿通路１２３とを有している。それら本体側上皿通路１２２及び本体側下皿通路１２３の上流側は、後述する遊技球分配部に通じている。また、通路形成部材１２１の下方には前扉枠１４に取り付けられた通路形成ユニット５０の受口部５３が入り込んでおり、本体側上皿通路１２２の下方には前扉側上皿通路５１が配置され、本体側下皿通路１２３の下方には前扉側上皿通路５１が配置されている（図２参照）。
【００５３】
樹脂ベース６０において通路形成部材１２１の下方には、本体側上皿通路１２２及び本体側下皿通路１２３からの遊技球の流出を規制するシャッタ１２４が設けられている。シャッタ１２４は、両通路の出口部分を狭め遊技球の流出を阻止する阻止位置と、遊技球の流出を許容する許容位置との両位置に切り替え可能な状態で樹脂ベース６０によって支持されている。また、樹脂ベース６０にはシャッタ１２４を阻止位置に向けて付勢する付勢部材が取り付けられており、前扉枠１４を内枠１３に対して開いた状態では付勢部材の付勢力によってシャッタ１２４が阻止位置に留まる構成となっている。これにより、本体側上皿通路１２２又は本体側下皿通路１２３に遊技球が貯留されている状態で前扉枠１４を開放した場合に、その貯留球がこぼれ落ちてしまうといった不都合が回避されている。これに対し、前扉枠１４を閉じた状態では、前扉枠１４の通路形成ユニット５０に設けられた受口部５３により上記付勢力に抗してシャッタ１２４が許容位置に押し戻される。この状態では、本体側上皿通路１２２及び前扉側上皿通路５１と、本体側下皿通路１２３及び前扉側下皿通路５２とがそれぞれ連通し、遊技球の移動が許容されることとなる。
【００５４】
次に、図７に基づき内枠１３（樹脂ベース６０及び遊技盤８０）の背面構成について説明する。図７は内枠１３の背面図である。
【００５５】
樹脂ベース６０の背面における回動基端側（図７の右側）には、軸受け金具１３２が取り付けられている。軸受け金具１３２には、上下に離間させて軸受け部１３３が形成されており、これら軸受け部１３３により内枠１３に対して裏パックユニット１５が回動可能に取り付けられている。また、樹脂ベース６０の背面には、裏パックユニット１５を内枠１３に固定するための固定レバー１３４が複数設けられている。
【００５６】
既に説明したように樹脂ベース６０における遊技盤収容部６１の底部分、すなわち上記対向板部６２には樹脂ベース６０の厚さ方向に貫通し同樹脂ベース６０の背面側に開放された中央開口６４が形成されており、その中央開口６４が遊技盤収容部６１に収容された遊技盤８０によって内枠１３の正面側から覆われている。遊技盤８０の背面には制御装置等の各種構成が搭載されており、それら各種構成は中央開口６４を通じて内枠１３の背側に露出した状態となっている。ここで、図８に基づき遊技盤８０の背面の構成について詳細に説明する。図８は遊技盤８０を後方から見た斜視図である。
【００５７】
遊技盤８０の背面には、可変表示ユニット８５を遊技盤８０に対して搭載する合成樹脂製の台座部材１４１が固定されている。台座部材１４１は、遊技盤８０側に開放された略箱状をなしており遊技盤８０の背面のほぼ全域を覆っている。台座部材１４１の一部は樹脂ベース６０の中央開口６４を通じて同樹脂ベース６０の背面側に突出しており、その突出した部分に対して上述した図柄表示装置９４と、その図柄表示装置９４を駆動するための表示制御装置とが取り付けられている。これら図柄表示装置９４及び表示制御装置は前後方向（樹脂ベース６０の厚さ方向）に図柄表示装置が前側且つ表示制御装置が後側となるように重ねて配置されている。さらに、遊技盤８０には、表示制御装置の後方に位置するようにして音声ランプ制御装置ユニット１４２が搭載されている。音声ランプ制御装置ユニット１４２は、音声ランプ制御装置１４３と、取付台１４４とを具備する構成となっており、取付台１４４上に音声ランプ制御装置１４３が装着されている。
【００５８】
音声ランプ制御装置１４３は、後述する主制御装置からの指示に従い音声やランプ表示、及び表示制御装置の制御を司る音声ランプ制御基板を具備しており、音声ランプ制御基板が透明樹脂材料等よりなる基板ボックス１４５に収容されて構成されている。
【００５９】
音声ランプ制御装置ユニット１４２の下方には、台座部材１４１を後方から覆うようにして主制御装置ユニット１６０が設けられている。主制御装置ユニット１６０は、遊技盤８０の背面に固定された合成樹脂製の取付台１６１と、その取付台１６１に搭載された主制御装置１６２とを有している。主制御装置１６２は、遊技の主たる制御を司る機能（主制御回路）と、電源を監視する機能（停電監視回路）とを有する主制御基板を具備しており、当該主制御基板が透明樹脂材料等よりなる基板ボックス１６３に収容されて構成されている。
【００６０】
基板ボックス１６３は、略直方体形状のボックスベース（表ケース体）とこのボックスベースの開口部を覆うボックスカバー（裏ケース体）とを備えている。これらボックスベースとボックスカバーとは封印手段としてのボックス封印部１６４によって開封不能に連結され、これにより基板ボックス１６３が封印されている。ボックス封印部１６４は、基板ボックス１６３の短辺部に複数設けられ、そのうち少なくとも１つが用いられて封印処理が行われる。
【００６１】
ボックス封印部１６４はボックスベースとボックスカバーとを開封不能に結合する構成であれば任意の構成が適用できるが、ボックス封印部１６４を構成する係止孔部に係止ピンを挿入することでボックスベースとボックスカバーとが開封不能に結合されるようになっている。ボックス封印部１６４による封印処理は、その封印後の不正な開封を防止し、また万一不正開封が行われてもそのような事態を早期に且つ容易に発見可能とするものであって、一旦開封した後でも再度封印処理を行うこと自体は可能である。すなわち、複数のボックス封印部１６４のうち、少なくとも１つの係止孔部に係止ピンを挿入することにより封印処理が行われる。そして、収容した主制御基板の不具合発生の際や主制御基板の検査の際など基板ボックス１６３を開封する場合には、係止ピンが挿入されたボックス封印部と基板ボックス１６３本体との連結部分を切断する。これにより、基板ボックス１６３のボックスベースとボックスカバーとが分離され、内部の主制御基板を取り出すことができる。その後、再度封印処理する場合は他の係止孔部に係止ピンを挿入する。基板ボックス１６３の開封を行った旨の履歴を当該基板ボックス１６３に残しておけば、基板ボックス１６３を見ることで不正な開封が行われた旨が容易に発見できる。
【００６２】
基板ボックス１６３と取付台１６１とは台座封印部１６５によって開封不能に連結されている。詳しくは、台座封印部１６５は、ボックス封印部１６４と同様に係止孔部及び係止ピンを有しており、係止孔部に対して係止ピンが挿入されることで基板ボックス１６３と取付台１６１とが分離不能に結合されるようになっている。これにより、基板ボックス１６３の不正な取り外しが行われた場合に、その事実を把握しやすくなっている。
【００６３】
台座部材１４１において遊技盤８０の背面と対向している部分には、前記一般入賞口８１，可変入賞装置８２，上作動口８３ａ，下作動口８３ｂの遊技盤開口部に対応し且つ下流側で１カ所に集合する回収通路が形成されている。これにより、一般入賞口８１等に入賞した遊技球は何れも回収通路を介して遊技盤８０の下方に集合する構成となっている。つまり、台座部材１４１には各種入賞口に入賞した遊技球を回収する機能が付与されている。
【００６４】
遊技盤８０の下方には後述する排出通路が配されており、回収通路によって遊技盤８０の下方に集合した遊技球は排出通路内に導出される。なお、アウト口８６についても同様に排出通路に通じており、何れの入賞口にも入賞しなかった遊技球はアウト口８６を介して排出通路内に導出される。
【００６５】
また、上記回収通路には、遊技盤８０表側の一般入賞口８１に入賞した遊技球を検知する入賞口スイッチと、可変入賞装置８２に入賞した遊技球を検知するカウントスイッチと、作動口８３ａ，８３ｂに入った遊技球を検知する作動口スイッチとが装着されており、それら各種スイッチによって入賞検知機構が構成されている。更に、台座部材１４１において可変表示ユニット８５の左右両側には、スルーゲート８４を通過する遊技球を検知するゲートスイッチが設けられている。これら各種スイッチは主制御装置１６２に対して電気的に接続されており、各スイッチによる検知情報が同主制御装置１６２に出力される構成となっている。
【００６６】
次に、図９及び図１０に基づき裏パックユニット１５について説明する。図９はパチンコ機１０の背面図、図１０は裏パックユニット１５の正面図である。
【００６７】
図９に示すように、内枠１３は裏パックユニット１５によって後方から覆われている。裏パックユニット１５は、裏パック２０１を備えており、当該裏パック２０１に対して、払出機構部２０２、排出通路盤及び制御装置集合ユニット２０４が取り付けられている。
【００６８】
裏パック２０１は透明性を有する合成樹脂により成形されており、図１０に示すように払出機構部２０２などが取り付けられるベース部２１１と、パチンコ機１０後方に突出し略直方体形状をなす保護カバー部２１２とを有する。保護カバー部２１２は左右側面及び上面が閉鎖され且つ下面のみが開放された形状をなし、少なくとも可変表示ユニット８５を囲むのに十分な大きさを有する（図９参照）。
【００６９】
ベース部２１１には、その右上部に外部端子板（図示略）が設けられている。外部端子板には各種の出力端子が設けられており、これらの出力端子を通じて遊技ホール側の管理制御装置に対して各種信号が出力される。また、ベース部２１１にはパチンコ機１０後方からみて右端部に上下一対の掛止ピン２１４が設けられており、掛止ピン２１４を内枠１３に設けられた前記軸受け部１３３に挿通させることで、裏パックユニット１５が内枠１３に対して回動可能に支持されている。ベース部２１１には、内枠１３に設けられた固定レバー１３４が挿通される複数の挿通部２１５が形成されており、固定レバー１３４が挿通部２１５に挿通された状態にてベース部２１１に後方から当接することにより内枠１３に対して裏パックユニット１５が固定されている。
【００７０】
ベース部２１１には、保護カバー部２１２を迂回するようにして払出機構部２０２が配設されている。払出機構部２０２には、裏パック２０１の最上部に配されているとともに上方に開口したタンク２２１が設けられており、遊技ホールの島設備から供給される遊技球がそのタンク２２１に逐次補給される。タンク２２１の下方には、下流側に向けて緩やかに傾斜するタンクレール２２２が連結され、タンクレール２２２の下流側には上下方向に延びるケースレール２２３が連結されている。ケースレール２２３の最下流部には払出装置２２４が設けられている。払出装置２２４より払い出された遊技球は、当該払出装置２２４の下流側に設けられた図示しない払出通路を通じて、裏パック２０１のベース部２１１に設けられた遊技球分配部２２５に供給される。
【００７１】
遊技球分配部２２５は、払出装置２２４より払い出された遊技球を上皿２８ａ、下皿２９ａ又は後述する排出通路の何れかに振り分けるための機能を有し、内側の開口部が上述した本体側上皿通路１２２及び前扉側上皿通路５１を介して上皿２８ａに通じ、外側の開口部が本体側下皿通路１２３及び前扉側下皿通路５２を介して下皿２９ａに通じるように形成されている（図３及び図７参照）。
【００７２】
ベース部２１１の下端部には、当該下端部を前後に挟むようにして排出通路盤及び制御装置集合ユニット２０４が取り付けられている。排出通路盤には、制御装置集合ユニット２０４と対向する面に後方に開放された排出通路が形成されており、当該排出通路の開放部は制御装置集合ユニット２０４によって塞がれている。排出通路は、遊技ホールの島設備等へ遊技球を排出するように形成されており、上述した回収通路等から排出通路に導出された遊技球は当該排出通路を通ることでパチンコ機１０外部に排出される。
【００７３】
図１０に示すように、制御装置集合ユニット２０４は、横長形状をなす取付台２４１を有し、取付台２４１に払出制御装置２４２と電源・発射制御装置２４３とが搭載されている。これら払出制御装置２４２と電源・発射制御装置２４３とは、払出制御装置２４２がパチンコ機１０後方となるように前後に重ねて配置されている。
【００７４】
払出制御装置２４２においては基板ボックス２４４内に払出装置２２４を制御する払出制御基板が収容されており、当該払出制御基板に設けられた状態復帰スイッチ２４５が基板ボックス２４４外に突出している。例えば、払出装置２２４における球詰まり等、払出エラーの発生時において状態復帰スイッチ２４５が押されると、球詰まりの解消が図られるようになっている。
【００７５】
電源・発射制御装置２４３は、基板ボックス２４６内に電源・発射制御基板が収容されており、当該基板により、各種制御装置等で要する所定の電源が生成されて出力され、さらに遊技者による遊技球発射ハンドル４１の操作に伴う遊技球の打ち出しの制御が行われる。また、電源・発射制御装置２４３にはＲＡＭ消去スイッチ２４７が設けられている。本パチンコ機１０は各種データの記憶保持機能を有しており、万一停電が発生した際でも停電時の状態を保持し、停電からの復帰の際には停電時の状態に復帰できるようになっている。したがって、例えば遊技ホールの営業終了の場合のように通常手順で電源を遮断すると遮断前の状態が記憶保持されるが、ＲＡＭ消去スイッチ２４７を押しながら電源を投入すると、ＲＡＭデータが初期化されるようになっている。
【００７６】
（遊技盤８０の配置に関する構成）
既に説明したように、本実施の形態における遊技盤８０は樹脂ベース６０に対して着脱可能な構成となっており、装着完了位置への配置作業の容易化や装着完了位置での位置精度の向上等の各種工夫がなされている。ここで、図４，図５及び図１１に基づき遊技盤８０の配置に関する構成について詳しく説明する。図１１は図４のＡ−Ａ線部分断面図である。
【００７７】
図５に示すように、内枠１３（詳しくは樹脂ベース６０）の左側壁部６７、すなわち前扉枠１４を支持している側の壁部６７には、遊技盤８０の前方への変位を抑える複数のストッパ部２７１が設けられている。各ストッパ部２７１は、左側壁部６７の内壁面から遊技盤収容部６１側へ張り出しており、遊技盤８０（詳しくはレールカバー）に対してパチンコ機１０の前方から当接している（図４参照）。また、各ストッパ部２７１は、遊技盤収容部６１内に収められており、前扉枠１４側への突出が抑えられている。
【００７８】
ストッパ部２７１は、遊技盤８０の上端寄り及び下端寄りとなる位置にそれぞれ配置されており、遊技盤８０の変位をバランスよく抑えることが可能となっている。ストッパ部２７１の配置に関して補足すれば、図４に示すように、上端寄りのストッパ部２７１Ｕは、上記誘導レール１００（詳しくは外レール１０２）において遊技盤８０の回動基端側に凸となっている部分よりも上側に配置されており、下端寄りのストッパ部２７１Ｌは同凸となっている部分よりも下側に配置されている。これにより、ストッパ部２７１及び誘導レール１００を遊技盤８０の前面側にて好適に共存させ、ストッパ部２７１の採用に起因した遊技領域ＰＥの圧迫を抑制している。
【００７９】
内枠１３には、左側壁部６７の先端縁に沿うようにして金属製のプレート部材２８１が配設されている。プレート部材２８１は、内枠１３の上側枠部１３ａ及び下側枠部１３ｂの両枠部に跨って延びる長尺状をなしており、同プレート部材２８１の両端部分が内枠１３の左側枠部１３ｃに対して固定（ネジ止め）されているとともに、同プレート部材２８１の中間部分が上述したストッパ部２７１に対して固定（ネジ止め）されている。これにより、内枠１３において外枠１１や前扉枠１４に連結されている部分を補強し、更にはストッパ部２７１の変形を抑制している。
【００８０】
以上詳述したストッパ部２７１と対向板部６２とによって、遊技盤８０の一側部を挿入可能な挿入部２９０が構成されている（図１１参照）。挿入部２９０は、前扉枠１４の回動基端側に位置し、内枠１３において同前扉枠１４を支持している側とは反対側からの遊技盤８０の挿入を許容すべく同内枠１３の回動先端側（右側壁部６８側）に開放されている。特にストッパ部２７１と対向板部６２（詳しくは後述するリブを除いた部分）との隙間寸法は、遊技盤８０の厚さ寸法よりも大きく設定されている。これにより、遊技盤８０を挿入部２９０に対して斜め前方から挿入可能とするとともに、同挿入部２９０に挿入された遊技盤８０を当該挿入部２９０を中心として回動可能としている。また、挿入部２９０の挿入口を斜め前方に向けることにより、遊技盤挿入時に遊技盤８０が前扉枠１４の後方への張出部分や内枠１３の右側枠部１３ｄ（図５参照）等に干渉することを抑制している。
【００８１】
なお、ストッパ部２７１の先端部において遊技盤８０と対向している部位には面取りが施されており、挿入部２９０の入口部分が拡張されている。これにより、上記隙間寸法を大きくし、遊技盤８０を斜めに挿入する際のストッパ部２７１と遊技盤８０との引っ掛かりを抑制している。
【００８２】
挿入部２９０（ストッパ部２７１群）の下方、詳しくは内枠１３において左側壁部６７と下側壁部６６とが交わる位置には（図１１参照）、挿入部２９０に挿入された遊技盤８０を仮置き可能な仮置き部１２５が設けられている。仮置き部１２５は、上記通路形成部材１２１に形成され、挿入部２９０側（上方）を向く面状をなしている。なお、仮置き部１２５は、必ずしも通路形成部材１２１に形成する必要はなく、樹脂ベース６０に形成することも可能である。
【００８３】
仮置き部１２５は、遊技盤収容部６１の下側壁部６６よりも上側に位置しているとともに、遊技盤８０の下端部に対して対向している。一方、遊技盤８０における回動基端側の下隅部にはこの仮置き部１２５に対応した切欠き部８８が形成されている（図６参照）。遊技盤８０を挿入部２９０に挿入し回動させる場合には、この仮置き部１２５に対して遊技盤８０の切欠き部８８が仮置き（一時的に載置）されることで同遊技盤８０の重量の少なくとも一部が内枠１３の樹脂ベース６０によって支えられることとなる。これにより、遊技盤８０を装着する際の作業負担を減らし、遊技盤８０の回動操作の容易化を図っている。
【００８４】
また、仮置き部１２５は、挿入部２９０によりも同挿入部２９０の開放先側に延びている。これにより、挿入部２９０に挿入する前に遊技盤８０を仮置き可能となっており、更なる作業の容易化に貢献している。
【００８５】
図１１に示すように、内枠１３の対向板部６２においてストッパ部２７１よりも遊技盤８０の回動先端寄りとなる部分、詳しくは中央開口６４側の縁部には、同縁部から前方に起立するリブが形成されており、このリブに対して遊技盤８０（詳しくはレールカバー）が当接している。このように、遊技盤８０が対向板部６２のリブに当接することで、遊技盤収容部６１の奥側への遊技盤８０の変位が規制されている。
【００８６】
本実施の形態においては特に、挿入部２９０の前後幅寸法が上記レールカバーを含めた遊技盤８０の厚さ寸法よりも僅かに小さく設定されており、遊技盤８０を装着完了位置に配置した状態では、遊技盤８０が挿入部２９０に対して強干渉した状態となる。このように、挿入部２９０に対して遊技盤８０を強干渉させることにより、遊技盤８０の前後位置のばらつきを抑えることが可能となっている。
【００８７】
しかしながら、このような構成を採用する場合、挿入部２９０への遊技盤８０の挿入が難しくなることは好ましくない。そこで、上述の如く遊技盤８０とストッパ部２７１との当接箇所よりも、同遊技盤８０と対向板部６２のリブとの当接箇所のほうが、遊技盤８０の回動先端側に位置する構成とすることにより、遊技盤８０の挿入を容易化しつつ、装着完了位置に配置した状態での位置ばらつきを好適に抑制することが可能となっている。
【００８８】
（内枠の補強に関する構成）
また、本実施の形態においては、内枠１３（詳しくは樹脂ベース６０）を補強する補強プレート３５０が設けられ、この補強プレート３５０によって樹脂ベース６０の撓みや捩れ等が抑制され、遊技盤８０の位置精度の向上等が図られている。ここで、図１２，図１３及び図１４に基づき補強プレート３５０について説明する。図１４は、図４のＢ−Ｂ線部分断面図である。
【００８９】
補強プレート３５０は、金属製の板材を折り曲げて形成され、樹脂ベース６０の左右両端部、すなわち内枠１３の左右の枠部１３ｃ，１３ｄに跨って延びる長尺状をなしている。樹脂ベース６０において遊技盤収容部６１の下側には、下側壁部６６（言い換えれば遊技盤８０の下端縁）に沿うようにして補強プレート３５０を設置可能なプレート設置部６９が形成されており、当該プレート設置部６９に対して補強プレート３５０がパチンコ機１０の前方から取り付けられている。
【００９０】
プレート設置部６９は、遊技盤収容部６１を形成している下側壁部６６に連なるとともに、パチンコ機１０の前方を向いた平面状をなしている。補強プレート３５０は、このプレート設置部６９に対応するベース部３６１を有しており、当該ベース部３６１がプレート設置部６９に対して面接触することにより、その樹脂ベース６０に対する前後位置が規定されている。
【００９１】
ベース部３６１は補強プレート３５０の長手方向に延びる長尺状をなしており、その中央部分には前後に貫通する丸孔３６２が複数形成されており、それら丸孔３６２に対してプレート設置部６９に形成された突起７０がそれぞれ挿通されることにより、樹脂ベース６０に対する補強プレート３５０の左右位置及び上下位置が規定されている。
【００９２】
また、ベース部３６１には、上記長手方向に並ぶようにして複数の貫通孔３６３が形成されており、これら貫通孔３６３に挿通されたネジ３９１がプレート設置部６９に螺着されることで、樹脂ベース６０に対して一体化されている。特に、同ベース部３６１において、支持金具７１，７２が設けられている側の端部には、上記プレート部材２８１側に延びるアーム部３６４が形成されており、このアーム部３６４がプレート部材２８１と樹脂ベース６０との間に挟み込まれた状態で同プレート部材２８１と共に樹脂ベース６０に対して共締めされている。
【００９３】
図１４に示すように、ベース部３６１は、遊技盤８０の下方に位置しており、同遊技盤８０の下端面に対して下側から対峙している。ベース部３６１の上端縁は、プレート設置部６９と下側壁部６６との境界部位よりも僅かに上方に突出しており、当該上端縁には下側壁部６６に沿って後方へ延びる延出部３７１が形成されている。延出部３７１は、下側壁部６６と平行な平板状をなしており、同下側壁部６６と遊技盤８０の下端部との間に挟まれている。延出部３７１の後端縁は遊技盤８０よりも後方に位置しており、その後端縁には樹脂ベース６０の対向板部６２に沿って上方へ起立し、遊技盤８０の背面と対向する対向部３８１が形成されている。つまり、これらベース部３６１，延出部３７１，対向部３８１によって補強プレート３５０がクランク状をなす構成となっており、同補強プレート３５０の強度向上に貢献している。
【００９４】
樹脂ベース６０の対向板部６２の縁部には、下側壁部６６に対して上記対向部３８１を挟んで対向するようにして前方へ起立する起立部７３が形成されており、これら起立部７３及び下側壁部６６によって挟まれた領域に対向部３８１が嵌まった状態となっている。
【００９５】
図１３に示すように、対向板部６２において下側壁部６６の上方、詳しくは補強プレート３５０の対向部３８１と対向している部位には、遊技盤８０の左右位置を規定する位置決め突起７９が設けられている。以下、図６，図１２，図１３及び図１４に基づき位置決め突起７９及びそれに付随する構成について説明する。
【００９６】
図１３に示すように、位置決め突起７９は、下側壁部６６の付け根部分の近傍に配され、対向板部６２の前面から遊技盤８０側に起立している。補強プレート３５０の対向部３８１にはこの位置決め突起７９との干渉を回避すべく逃げ孔３８２が形成されており、同逃げ孔３８２を通じて位置決め突起７９の先端部分が遊技盤８０側に突出している。このように突出している部分が、遊技盤８０に形成された貫通孔９１（図６参照）に挿通されることで、遊技盤８０の左右方向への移動が規制される。
【００９７】
位置決め突起７９は対向板部６２に一体成形されている。対向板部６２は、複数の平板部が連なってなり、それら平板部のうち誘導レール１００の入口部分１０４に最も近いものは周壁部６３のコーナ部に連なっている。この平板部に位置決め突起７９が配置されている。すなわち、周壁部６３を構成する下側壁部６６及び左側壁部６７に連なる平板部に位置決め突起７９が配置されている。このように、隣り合う複数の壁部に対して連なっている平板部においては、同平板部に対して負荷が加わった場合の変形を抑え、１の壁部に連なっている場合と比較して当該平板部の変位量を小さくすることができる。特に、誘導レール１００の入口部分１０４に対して最寄となるコーナ部に連なる平板部に位置決め突起７９を配置することで、上述した変位量を好適に低減し、位置決め突起７９の位置精度の向上に貢献できる。
【００９８】
遊技盤８０に形成された貫通孔９１は、位置決め突起７９の左右位置のばらつきを抑えつつ上下位置のばらつきを許容可能となるように形成されている。具体的には、位置決め突起７９が円柱状をなしているのに対して、貫通孔９１は上下方向に拡がる長孔状をなしている。これにより、位置決め突起７９に遊技盤８０の自重が加わることを回避しやすくし、同位置決め突起７９による左右位置の位置精度の低下を抑制している。
【００９９】
図４及び図６に示すように、これら位置決め突起７９及び貫通孔９１は、誘導レール１００の入口部分１０４後方となる位置、具体的には遊技盤８０の正面視にて外レール１０２の背後に重なる位置に配されている。より詳しくは、位置決め突起７９及び貫通孔９１は、遊技盤８０の正面視にて外レール１０２における上記特定部位ＳＰと前後に重なる位置に配されている。このように、特定部位ＳＰに近い位置にて遊技盤８０の左右位置を規定することにより、外レール１０２の位置ばらつき、ひいては遊技球の着地位置のばらつきを抑えやすくしている。
【０１００】
図１４に示すように、位置決め突起７９の起立量は、貫通孔９１の深さ寸法よりも小さく設定されており、貫通孔９１の中間位置に位置決め突起７９の先端が位置している。これは、内枠１３により遊技盤８０を回動可能に支持する構成において、貫通孔９１と位置決め突起７９との合わせを好適なものとするための工夫である。
【０１０１】
貫通孔９１において位置決め突起７９が届いていない部分には、外レール１０２を支持するレール支持部材１０７が取り付けられている。つまり、貫通孔９１における凡そ前側半分は遊技盤８０の位置決め用の領域、同貫通孔９１における凡そ後側半分はレール支持部材１０７の取付用の領域として活用されている。
【０１０２】
レール支持部材１０７は、貫通孔９１に嵌合する嵌合部１０８と、外レール１０２の外面に対して当接する当接部１０９とを有し、それら嵌合部１０８及び当接部１０９が合成樹脂材料によって一体成形されてなる。遊技球発射機構１１０から発射された遊技球が外レール１０２（詳しくは特定部位ＳＰ）に着地した際には、遊技球の着地によって生じる衝撃の一部をレール支持部材１０７及び遊技盤８０に分散することができ、外レール１０２を保護することが可能となっている。
【０１０３】
また、レール支持部材１０７は、上記固定ピン１０２ａの間に配置されている。同レール支持部材１０７を外レール１０２に対してレール支持部材１０７を当接させておくことにより、遊技球の着地に伴う外レール１０２の振動を抑制することができる。なお、上述の如く貫通孔９１は長孔状をなしており、嵌合部１０８はその外形が同貫通孔９１の内形に合わせて形成されている。これにより、レール支持部材１０７が上述した遊技球衝突時の衝撃等により回動（位置ずれ）することを回避しつつ、遊技盤８０に対して上記衝撃を分散させやすくしている。また、そのようにレール支持部材１０７の位置ずれを生じにくくすることで、上記保護機能の低下が抑えられている。
【０１０４】
以上詳述したように貫通孔９１を遊技盤８０の位置決めと、レール支持部材１０７の取り付けに活用することで、遊技盤８０の位置精度のみならず、レール支持部材１０７の位置精度及び外レール１０２の位置精度の向上を図っている。これにより、外レール１０２における特定部位ＳＰへの遊技球の着地精度を向上させることを可能としている。
【０１０５】
（遊技盤８０の固定構造）
以上詳述した、位置決め突起７９と横並びとなる位置等には、内枠１３には遊技盤収容部６１からの遊技盤８０の取り外しを不可とするロック状態と、同遊技盤収容部６１からの遊技盤８０の取り外しを許容するアンロック状態とに切替可能なロック装置４００が設けられている。図４に示すように、ロック装置４００は、内枠１３において前記挿入部２９０とは反対側、すなわち右側壁部６８寄りに配置されているもの、又は挿入部２９０側、詳しくは上記位置決め突起７９の近傍に配置されているもの、更には遊技盤８０の下端寄り（遊技球発射機構１１０寄り）に配置されているもの、又は遊技盤８０の上端寄りに配置されているものに大別される。
【０１０６】
これら各ロック装置４００においては、基本構成が共通となっており、同ロック装置４００の取り付けに関する構成及び同ロック装置４００に付随する構成のみが若干異なっている。そこで、先ず図１３，図１５及び図１６に基づき位置決め突起７９に対して横並びとなる位置に配設されたロック装置４００の基本構成について説明し、後に個々のロック装置４００に付随する構成の差異について説明する。図１５（ａ）はロック装置４００を正面側から見た斜視図、図１５（ｂ）はロック装置４００の分解斜視図、図１６は図４のＣ―Ｃ線部分断面図である。なお、図１６では便宜上、ロック装置４００の一部の構成（後述する操作レバー４４０及び軸ピン４２０）についてはパチンコ機１０の側方から見た状態で表示している。
【０１０７】
図１３に示すように、遊技盤８０の下端寄りに配置されているロック装置４００は上記補強プレート３５０（詳しくは対向部３８１）を介して樹脂ベース６０の対向板部６２に取り付けられている。より詳しくは、図１５（ｂ）に示すように、ロック装置４００は、金属板を折り曲げて形成されたベースプレート４１０を有しており、このベースプレート４１０が補強プレート３５０の対向部３８１にパチンコ機１０の前方から設置された状態で樹脂ベース６０の対向板部６２に取り付けられている。
【０１０８】
より具体的には、ベースプレート４１０は補強プレート３５０の対向部３８１に平行な平板部４１１を有しており、この平板部４１１が対向部３８１に対して面接触している。平板部４１１は、補強プレート３５０の長手方向と同一方向（左右方向）に延びる長板状をなしており、その長手方向に並べて２つの貫通孔４１２が形成されている。図１３及び図１５（ｂ）に示すように、これら貫通孔４１２には補強プレート３５０とは反対側（パチンコ機１０の前方）からネジ４１８が挿通されており、それら挿通されたネジ４１８が樹脂ベース６０の対向板部６２に螺着されることでベースプレート４１０が固定されている。なお、貫通孔４１２及びネジ４１８の個数は２つに限定されるものではなく任意に設定してもよい。
【０１０９】
本実施の形態においては、上述の如く補強プレート３５０が自身のベース部３６１及び樹脂ベース６０のプレート設置部６９を基準として固定されており、樹脂ベース６０の対向板部６２に成形ばらつき等が生じた場合には、そのばらつきによって補強プレート３５０の対向部３８１と対向板部６２との間に所定の隙間が生じる構成となっている。このような隙間が生じている場合には、上記ネジ４１８を螺着することにより、対向板部６２が対向部３８１側に引き付けられることとなる。言い換えれば、対向板部６２の強度は、対向部３８１と比較して高く設定されており、ネジ４１８をねじ込んだ場合に、対向部３８１が対向板部６２側に傾倒することが抑制されている。これにより、補強プレート３５０のベース部３６１に対する対向部３８１の位置精度（すなわちベースプレート４１０の位置精度）が好適に担保されている。
【０１１０】
平板部４１１における両貫通孔４１２の間には前後方向に延びる筒状部４１３が形成されている。筒状部４１３は、ベースプレート４１０の前面から補強プレート３５０とは反対側に起立しており、平板部４１１には同筒状部４１３に連通するように開口部位が形成されている。
【０１１１】
この筒状部４１３に対して、対向板部６２側（後方）から軸ピン４２０が回動可能な状態で挿通されている。軸ピン４２０は、その頭部４２１がベースプレート４１０の背面に対して当接することにより、前方への変位が規制されている。なお、上述した補強プレート３５０の対向部３８１及び樹脂ベース６０の対向板部６２には軸ピン４２０の頭部４２１との干渉を回避するべく貫通孔３８３，６２ａが形成されている（図１３参照）。
【０１１２】
軸ピン４２０には、遊技盤８０を背面側から押すプッシャ４３０が組み付けらている。プッシャ４３０はベースプレート４１０を遊技盤８０側から覆う略平板状の本体部４３１を有し、本体部４３１には本体部４３１には軸ピン４２０が挿通される挿通部４３２が形成されている。挿通部４３２に軸ピン４２０が挿通されることにより、プッシャ４３０が軸ピン４２０の中心軸線方向にスライド移動可能となっている。
【０１１３】
本体部４３１は正面視にて略矩形状をなしており、その左右両側部には平板部４１１の左右両端から前方に起立したフランジ部４１４に対応させてキー溝４３３が形成されている。これらキー溝４３３に対してフランジ部４１４が嵌合することにより、軸ピン４２０の中心軸線を中心としたプッシャ４３０の回動が阻止されている。すなわち、プッシャ４３０については、上述の如く軸ピン４２０の中心軸線方向（前後方向）へのスライド移動が許容されつつ、同中心軸線を中心とした回動が不可とされている。
【０１１４】
また、ベースプレート４１０の両長辺には、プッシャ４３０を遊技盤８０側に付勢する付勢部４１５が形成されている。付勢部４１５は、前後方向へ撓み変形可能となるようにベースプレート４１０の一部を折り曲げて形成されており、その先端部分がプッシャ４３０（詳しくは本体部４３１）に対して背面側から当接している（図１６参照）。より具体的には、それら付勢部４１５は、先端側にて両者の間隔が拡がるように、平板部４１１に対して斜めに傾けて（本実施の形態においては凡そ４５°に傾けて）形成されている。なお、ベースプレート４１０に板バネとしての機能が付与されている点に着目すれば、「ベースプレート４１０」を「板バネ４１０」と称することも可能である。
【０１１５】
因みに、本体部４３１には、自身の厚み方向（前後方向）に貫通する貫通孔４３４が上述したネジ４１８に対応させて形成されており、当該貫通孔４３４を通じたネジ４１８の着脱作業が許容されている。
【０１１６】
本体部４３１の厚さ寸法（軸線方向の長さ寸法）は、対向板部６２，起立部７３，下側壁部６６によって形成された凹部７４の深さ寸法よりも小さくなるように設定されており、同凹部７４からの突出が抑えられ当該本体部４３１の前面が対向板部６２の前面に対して略面一になる待機位置と、凹部７４から突出して遊技盤８０を前方へ変位させる作用位置とに切替可能となっている。以下、プッシャ４３０の位置の切り替えを実現する構成について説明する。
【０１１７】
軸ピン４２０の先端部はプッシャ４３０の挿通部４３２を通じてその前方に突出しており、その突出している先端部には特定の操作に基づいてプッシャ４３０の位置を切り替える操作レバー４４０が固定されている。詳しくは、ネジ４４９によって操作レバー４４０と軸ピン４２０とが固定されることによりベースプレート４１０及びプッシャ４３０の脱落が阻止され、それら各種構成がユニット化された状態となっている。
【０１１８】
操作レバー４４０は、軸ピン４２０の中心軸線を中心とした回動が許容されており、軸ピン４２０と一体となって回動する。操作レバー４４０は、軸ピン４２０が嵌め込まれている円筒状の基部４４１と、同基部４４１におけるプッシャ４３０とは反対側の端部から当該基部４４１の放射方向両側に突出している操作部４４６とを有し、全体として略Ｔ字状をなしている。
【０１１９】
プッシャ４３０において基部４４１の端面と対向している部分には同基部４４１側に起立する突起４３５が設けられている。より詳しくは複数の突起４３５が、挿通部４３２を囲むようにして配置されている。一方、基部４４１の端面には、回動中心軸線と直交する方向（すなわち回動中心軸線の放射方向）に広がる平面状をなすとともに、プッシャ４３０の突起４３５が当接した状態で停留可能な一対の停留部４４２，４４３が形成されている。それら各停留部４４２，４４３は、プッシャ４３０の前端面からの距離が相違しており、軸ピン４２０の周方向に離して配置されている。以下、便宜上プッシャ４３０の前端面からの距離が大きい一方を「第１停留部４４２」、同第１停留部４４２よりも前記距離が小さい他方を「第２停留部４４３」と称する。
【０１２０】
また、基部４４１の端面にはそれら第１停留部４４２及び第２停留部４４３を繋ぐ連結部４４４が形成されている。連結部４４４は、第１停留部４４２及び第２停留部４４３を滑らかに繋ぐ曲面状をなしている。プッシャ４３０の突起４３５が連結部４４４を辿ることで、各停留部４４２，４４３での停留状態の切り替えが許容される。なお、連結部４４４が第２停留部４４３から第１停留部４４２向けて傾斜する平面状をなす構成とすることも可能である。
【０１２１】
突起４３５、停留部４４２，４４３及び連結部４４４は、プッシャ４３０の位置を切り替える切替手段を構成しており、ロック装置４００にはこれら各種構成を１組とする切替手段が複数（本実施の形態においては３つ）設けられている。それら切替手段は、軸ピン４２０の周方向において等間隔となるよう並べて配置されている。これにより、付勢部４１５の付勢力によって操作レバー４４０を歪ませるような応力が生じることを抑制している。なお、突起４３５，停留部４４２，４４３及び連結部４４４の配設対象を入れ替えることも可能である。すなわち、プッシャ４３０に停留部４４２，４４３及び連結部４４４に相当する構成を配設し、基部４４１に突起４３５に相当する構成を配設してもよい。
【０１２２】
ロック装置４００がアンロック状態である場合には、プッシャ４３０の各突起４３５が各第２停留部４４３に当接することにより、凹部７４からのプッシャ４３０の突出が抑えられる。この場合、第２停留部４４３が付勢部４１５による付勢方向と直交しているため、操作レバー４４０はアンロック位置で保持された状態となる。操作レバー４４０がアンロック位置に保持された状態では、操作部４４６が水平方向（横方向）を向いている。
【０１２３】
ここで、図１７に基づきロック装置４００の切替操作について説明する。図１７は、ロック装置４００の切替操作を示す概略図である。
【０１２４】
ロック装置４００をロック状態に切り替える場合には、図１７（ａ）→図１７（ｂ）に示すように操作レバー４４０を時計回りに回動させ、操作部４４６を縦向きにすることで、各突起４３５が第２停留部４４３から連結部４４４を経由して第１停留部４４２に移る。これにより、プッシャ４３０が凹部７４から突出し、遊技盤８０を背面側から押す状態となる。この場合、第１停留部４４２が付勢部４１５による付勢方向と直交しているため、操作レバー４４０はロック位置で保持された状態となる。操作レバー４４０がロック位置で保持された状態では操作部４４６が水平方向と鉛直方向との中間を向くように傾いている。
【０１２５】
遊技盤８０には操作部４４６に対応する挿通部９２が形成されており、操作部４４６が同挿通部９２を通じて遊技盤８０の前面よりも前方に張り出している。より具体的には、挿通部９２は、遊技盤８０の厚さ方向に貫通しているとともに、遊技盤８０の回動基端側から回動先端側、詳しくは水平方向に延びており、ロック装置４００がアンロック状態にある場合には操作部４４６の通過を許容し、ロック装置４００がロック状態である場合には操作部４４６の通過を阻止するように形成されている。このため、ロック装置４００がロック状態に切替えられた場合には、操作部４４６において遊技盤８０の前面と対向する部分が同遊技盤８０に対して当接し、上述した付勢部４１５の付勢力による遊技盤８０の移動が阻止される。つまり、操作部４４６は遊技盤８０の移動を阻止するストッパ部としての機能を併せ有している。
【０１２６】
ロック装置４００をアンロック状態に切り替える場合には、図１７（ｂ）→図１７（ａ）に示すように、操作レバー４４０を反時計回りに回動させ、操作部４４６が水平となるように操作する。これにより、プッシャ４３０が凹部７４側に引っ込み、遊技盤８０の付勢が解除されるとともに、操作レバー４４０（操作部４４６）の上記挿通部９２の通過が許容される。これにより、遊技盤８０を遊技盤収容部６１から取り出すことが可能となる。
【０１２７】
遊技盤８０の下端よりに配置されたロック装置４００Ｌと遊技盤８０の上端寄りに配置されたロック装置４００Ｕとの共通点及び相違点について説明する。ロック装置４００Ｕは、上記ロック装置４００Ｌと同様に、ベースプレート４１０，軸ピン４２０，プッシャ４３０及び操作レバー４４０を有しており、これら各種構成がユニット化されてなる。上記ロック装置４００Ｌが補強プレート３５０に設置されていたのに対して、ロック装置４００は対向板部６２に設置されている点で相違している。
【０１２８】
以上詳述したように、ロック装置４００によって遊技盤８０の前後位置が規定される点に着目すれば、同ロック装置４００に位置決め機能が付与されているといえる。
【０１２９】
次に、図１２，図１４及び図１５に基づきロック装置４００及び上記位置決め突起７９の関係について説明する。
【０１３０】
図１２に示したように、ロック装置４００は、操作部４４６の前端部が位置決め突起７９の先端よりも前方に位置するように配置されている。このため、遊技盤８０を装着完了位置に向けて回動させる場合には、先ずロック装置４００の操作部４４６が遊技盤８０の挿通部９２に入り、その後、位置決め突起７９が遊技盤８０の貫通孔９１に入ることとなる。より詳しくは、操作部４４６の少なくとも一部が挿通部９２に嵌まっている状態にて、位置決め突起７９が貫通孔９１に入ることとなる。挿通部９２の内形は操作部４４６の外形よりも僅かに大きく形成されており、挿通部９２内での操作部４４６の移動ばらつきが制限される。つまり、操作部４４６が挿通部９２内に入ることで、遊技盤８０の組み付けばらつき（例えば左右方向での位置ばらつき）が抑えられることとなる。このように、遊技盤８０の位置ばらつきが抑えられた状態にて、位置決め突起７９が貫通孔９１に入る構成とすることで、位置決め突起７９が貫通孔９１に上手く嵌まらないといった不都合を生じにくくしている。
【０１３１】
特に、本実施の形態においては、位置決め突起７９の左右両側にロック装置４００が配置されている。つまり、位置決め突起７９が２つのロック装置４００の間に配されている。各ロック装置４００に対応する挿通部９２は、左側の挿通部９２が遊技盤８０の回動基端側に開放され、右側の挿通部９２が遊技盤８０の回動先端側に開放されており、その開放されている方向以外の方向へのロック装置４００の位置ずれを抑える構成となっている。このように各ロック装置４００に位置ずれ抑制機能を分与することにより、一方のロック装置４００に負担が集中することを抑制している。
【０１３２】
特に、左側のロック装置４００に対応する挿通部９２については、遊技盤８０の切欠き部８８に連なるとともに、遊技盤８０の回動基端側に開放されている。
【０１３３】
ロック装置４００が誘導レール１００の入口部分１０４を挟んだ左右両側に配置されている構成においては、両ロック装置４００のうち入口部分１０４よりも遊技盤８０の回動基端側に位置する一方によって挿入部２９０への遊技盤８０の挿入が妨げられやすくなることが懸念される。入口部分１０４を遊技盤８０の幅方向における略中央に配置していることで、そのような不都合が顕著になると想定される。
【０１３４】
また、本体側上皿通路１２２及び本体側下皿通路１２３が各皿２８ａ，２９ａよりも上位に位置することにより遊技球を同皿２８ａ，２９ａへ誘導する際にそれら遊技球の自重を利用して同遊技球を移動させることが可能となっている。しかしながら、遊技領域ＰＥが拡張されている本実施の形態においては、このような遊技領域ＰＥの拡張によって本体側上皿通路及び本体側下皿通路１２３の配置が制限されやすくなっている。これは、各皿２８ａ，２９ａへの遊技球の誘導を難しくする要因となり得る。
【０１３５】
この点、本実施の形態においては、遊技盤８０に切欠き部８８を形成することで、上記本体側上皿通路及び本体側下皿通路１２３と遊技盤８０との共存が可能となっている。つまり、遊技領域ＰＥを拡張しつつ本体側上皿通路及び本体側下皿通路１２３の位置を各皿２８ａ，２９ａよりも上位に配置することが可能となっている。更に、上述の如くこの切欠き部８８に連なるようにして左側の挿通部９２を形成し、その挿通部９２を遊技盤８０の回動基端側に開放させることで、挿入部２９０に遊技盤８０を挿入する際の左側のロック装置４００と挿通部９２との干渉を回避することができる。これにより、本体側上皿通路及び本体側下皿通路１２３の配置と遊技領域ＰＥの拡張とを好適に実現し、更には位置決め精度の向上と遊技盤８０の挿入作業の容易化とを好適に両立している。
【０１３６】
（遊技球発射機構１１０の位置決めに関する構成）
以上詳述したように、遊技盤８０の配置に関しては様々な工夫が施されており、その位置精度が好適に確保されている。本実施の形態においては、この遊技盤８０と遊技球発射機構１１０（詳しくは発射レール１１２）との相対位置の精度を向上するための工夫がなされている。以下、再び図１３及び図１６を用いて補強プレート３５０と遊技球発射機構１１０との関係について補足説明する。
【０１３７】
図１３に示すように、遊技球発射機構１１０のベースプレート１１４は補強プレート３５０の長手方向と同じ方向に延びる横長状をなしており、同方向に並ぶようにして、上記発射レール１１２，球送装置１１３及びソレノイド１１１等が配置されている。発射レール１１２の先端部分、すなわち誘導レール１００の入口部分１０４側の端部はベースプレート１１４の上端に位置しており、遊技球発射機構１１０が同ベースプレート１１４の上端部が補強プレート３５０のベース部３６１に対して面接触した状態で設置されている。つまり、ベースプレート１１４がベース部３６１に対して面接触することで、遊技球発射機構１１０の前後位置が規定されている。特に、ベース部３６１は上下方向に所定の幅を有しており、ベースプレート１１４は、発射レール１１２の上記先端部分がベース部３６１の前方に位置するようにして配置されており、ベース部３６１とベースプレート１１４との重なり（接触面積）を稼いでいる。
【０１３８】
ベース部３６１及びベースプレート１１４は上述の如く同一方向に延びており、それら両者の接触範囲についても同様に、同方向へ拡がっている。詳しくは、ベースプレート１１４は左右両端に亘ってベース部３６１に接触した状態となっている。特に、発射レール１１２やソレノイド１１１等をベースプレート１１４に対して搭載することで、それら両者の位置関係を好適なものとすることができるとともに、個々の構成を個別に補強プレート３５０に設置する構成と比較して、上記接触範囲を拡げやすくなっている。
【０１３９】
ベースプレート１１４において発射レール１１２の先端（誘導レール１００側の端部）寄りとなる部位と、それとは反対側となる部位（詳しくはソレノイド１１１の上方）とには、樹脂ベース６０側に突出する突起１１７，１１８がそれぞれ形成さている。補強プレート３５０のベース部３６１には、それら突起１１７，１１８に対応させて挿通孔３６５が形成されており、それら挿通孔３６５に対して突起１１７，１１８が嵌まることにより、遊技球発射機構１１０の左右位置及び上下位置が規定されている。特に、発射レール１１２の先端寄りの挿通孔３６５は丸孔状をなしているとともに、他方の挿通孔３６６は左右に延びる長孔状をなしており、発射レール１１２の左右位置が発射レール１１２の先端寄りとなる部分を基準として規定されている。
【０１４０】
また、ベースプレート１１４において上記突起１１７，１１８の間には、前後に貫通する貫通孔１１９が形成されている。貫通孔１１９に対して挿通されたネジ１２０が補強プレート３５０のベース部３６１に形成された貫通孔３６７を通じてプレート設置部６９に螺着されることにより、遊技球発射機構１１０（ベースプレート１１４）が樹脂ベース６０に対して一体化されている。
【０１４１】
図１６に示すように、ベースプレート１１４の前面は遊技盤８０の前面と面一となるように構成されており、同ベースプレート１１４の前面に搭載された発射レール１１２は遊技盤８０の前面よりも前側に位置している。これにより、発射レール１１２から飛び出した遊技球が遊技盤８０と補強プレート３５０のベース部３６１との境界を横切る際の、遊技盤８０の下端縁に対する遊技球の引っ掛かりが回避されている。
【０１４２】
次に、パチンコ機１０の電気的構成について、図１８のブロック図に基づき説明する。図１８では、電力の供給ラインを二重線矢印で示し、信号ラインを実線矢印で示す。
【０１４３】
主制御装置１６２に設けられた主制御基板８０１には、主制御回路８０２と停電監視回路８０３とが内蔵されている。主制御回路８０２には、ＭＰＵ８１１が搭載されている。ＭＰＵ８１１には、当該ＭＰＵ８１１により実行される各種の制御プログラムや固定値データを記憶したＲＯＭ８１２と、そのＲＯＭ８１２内に記憶される制御プログラムの実行に際して各種のデータ等を一時的に記憶するためのメモリであるＲＡＭ８１３と、割込回路やタイマ回路、データ入出力回路などの各種回路が内蔵されている。
【０１４４】
ＲＡＭ８１３は、パチンコ機１０の電源の遮断後においても電源・発射制御装置２４３に設けられた電源・発射制御基板８２１からデータ記憶保持用電力が供給されてデータが保持される構成となっている。
【０１４５】
ＭＰＵ８１１には、アドレスバス及びデータバスで構成されるバスラインを介して入出力ポートが接続されている。主制御回路８０２の入力側には、主制御基板８０１に設けられた停電監視回路８０３、払出制御装置２４２に設けられた払出制御基板８２２及びその他図示しないスイッチ群などが接続されている。この場合に、停電監視回路８０３には電源・発射制御基板８２１が接続されており、主制御回路８０２には停電監視回路８０３を介して電力が供給される。
【０１４６】
一方、主制御回路８０２の出力側には、停電監視回路８０３、払出制御基板８２２及び中継端子板８２３が接続されている。払出制御基板８２２には、賞球コマンドなどといった各種コマンドが出力される。中継端子板８２３を介して主制御回路８０２から音声ランプ制御装置１４３に設けられた音声ランプ制御基板８２４に対して各種コマンドなどが出力される。
【０１４７】
停電監視回路８０３は、主制御回路８０２と電源・発射制御基板８２１とを中継し、また電源・発射制御基板８２１から出力される最大電源である直流安定２４ボルトの電源を監視する。
【０１４８】
払出制御基板８２２は、払出装置２２４により賞球や貸し球の払出制御を行うものである。演算装置であるＭＰＵ８３１は、そのＭＰＵ８３１により実行される制御プログラムや固定値データ等を記憶したＲＯＭ８３２と、ワークメモリ等として使用されるＲＡＭ８３３とを備えている。
【０１４９】
払出制御基板８２２のＲＡＭ８３３は、主制御回路８０２のＲＡＭ８１３と同様に、パチンコ機１０の電源の遮断後においても電源・発射制御基板８２１からデータ記憶保持用電力が供給されてデータが保持される構成となっている。
【０１５０】
払出制御基板８２２のＭＰＵ８３１には、アドレスバス及びデータバスで構成されるバスラインを介して入出力ポートが接続されている。払出制御基板８２２の入力側には、主制御回路８０２、電源・発射制御基板８２１、及び裏パック基板８２９が接続されている。また、払出制御基板８２２の出力側には、主制御回路８０２及び裏パック基板８２９が接続されている。
【０１５１】
電源・発射制御基板８２１は、電源部と発射制御部とを備えている。電源部は、二重線矢印で示す経路を通じて、主制御回路８０２や払出制御基板８２２等に対して各々に必要な動作電力を供給する。発射制御部は、遊技者による遊技球発射ハンドル４１の操作にしたがって遊技球発射機構１１０の発射制御を担うものであり、遊技球発射機構１１０は所定の発射条件が整っている場合に駆動される。
【０１５２】
音声ランプ制御基板８２４は、各種ランプ部２４〜２６やスピーカ部２７、及び表示制御装置８２５を制御するものである。演算装置であるＭＰＵ８４１は、そのＭＰＵ８４１により実行される制御プログラムや固定値データ等を記憶したＲＯＭ８４２と、ワークメモリ等として使用されるＲＡＭ８４３とを備えている。
【０１５３】
音声ランプ制御基板８２４のＭＰＵ８４１にはアドレスバス及びデータバスで構成されるバスラインを介して入出力ポートが接続されている。音声ランプ制御基板８２４の入力側には中継端子板８２３に中継されて主制御回路８０２が接続されており、主制御回路８０２から出力される各種コマンドに基づいて、各種ランプ部２４〜２５、スピーカ部２７、及び表示制御装置８２５を制御する。表示制御装置８２５は、音声ランプ制御基板８２４から入力する表示コマンドに基づいて図柄表示装置９４を制御する。
【０１５４】
以上詳述した本実施の形態によれば、以下の優れた効果を奏する。
【０１５５】
遊技盤８０を樹脂ベース６０に対して着脱可能な構成とすることにより、同遊技盤８０のメンテナンス作業や機種変更等の容易化を図っている。特に、遊技盤８０を樹脂ベース６０の正面側から着脱可能とすることにより、樹脂ベースの背面側から遊技盤を着脱する構成と比較して、作業の容易化を促進できる。遊技盤を樹脂ベースの背面側から着脱する構成を想定した場合、内枠を開放した状態で遊技盤の着脱を行う必要が生じる。この場合、例えば内枠が移動しないように同内枠の移動を手で押さえることで、遊技盤の装着作業を円滑に行うことができる。しかしながら、遊技盤の着脱作業の円滑化のために、内枠を手で押える等した場合には、作業が煩雑化し得る。この点、上記実施の形態に示したように内枠１３を外枠１１に対して閉じた状態で遊技盤８０の着脱作業が可能であれば、押し込み操作力等によって内枠１３が移動することを回避できる。これにより、遊技盤８０の着脱作業時に内枠１３を手で押さえるといった予備的作業を不要とし、作業の容易化に貢献できる。なお、裏パックユニット１５の開閉操作を省略することが可能となるため、作業手順の簡略化を図ることもできる。
【０１５６】
このように遊技盤８０を樹脂ベース６０の正面側から取り付ける構成においては、樹脂ベースの背面側から遊技盤の取り付けを行う構成と比較して、遊技盤の前面の位置精度（例えば前後方向の位置精度）を向上させることが難しくなると想定される。この点、本実施の形態においては、ロック装置４００の付勢部４１５によって遊技盤８０を正面側に押すとともに、操作部４４６を遊技盤８０の前面に当接させることによって遊技盤８０の前方への移動を抑えることで、遊技盤８０の前面を対象とした位置決めを可能としている。これにより、遊技盤８０の背面を基準としての前後の位置決めを行う構成と比較して、遊技盤８０の前面における位置精度を高やすくなっている。
【０１５７】
このように遊技盤８０の前面の位置精度を高めることにより、遊技球発射機構１１０から発射された遊技球の誘導レール１００に対する着地位置がばらつくことを抑えている。これにより、誘導レール１００を通過する際の遊技球の暴れを抑制し、遊技領域ＰＥへの誘導の円滑化に貢献している。特に、誘導レール１００が遊技盤８０の前面から起立している構成においては、同誘導レール１００の先端側に遊技球が着地すると、衝突時の負荷が大きくなり、誘導レール１００の根元部分（詳しくは固定ピン１０２ａ等）に変形等が生じやすくなると想定される。これは、遊技球の円滑な誘導を妨げる要因となり得るため好ましくない。この点、遊技盤８０の前面の前後位置精度を向上することで、遊技球の着地位置が前後にばらつくことを抑制し、上述した不都合の発生を好適に回避できる。
【０１５８】
また、本実施の形態においては、内枠１３が外枠１１によって回動可能に軸支され、その開放作業の容易化が図られている。しかしながら、このような構成においては、作業性の向上に貢献できる反面、内枠１３（詳しくは樹脂ベース６０）が撓んだり捩れたりすることにより、上述した位置精度の向上が妨げられることが懸念される。この点、樹脂ベース６０の回動基端部から回動先端部に跨るようにして、補強プレート３５０を配設することにより、上記変形を抑制している。特に、補強プレート３５０を遊技盤収容部６１の前方開放部位（詳しくは下端縁）に沿うようにして配置しており、開放部位周辺で低下しがちな強度を補い、上記補強効果を好適に享受することが可能となっている。
【０１５９】
この補強プレート３５０に対して、遊技球発射機構１１０及びロック装置４００を配設（詳しくは設置）することにより、遊技球発射機構１１０（詳しくは発射レール１１２）及び遊技盤８０（詳しくは誘導レール１００）の相対位置の精度を高めることができ、発射レール１１２から発射された遊技球の誘導レール１００に対する着地位置の精度向上に貢献できる。故に、誘導手段による遊技球の誘導の円滑化が期待できる。
【０１６０】
遊技盤８０を前方から装着する構成において、後方へ凹む遊技盤収容部６１を設けるとともに、プレート設置部６９，下側壁部６６，対向板部６２に沿うようにして補強プレート３５０をクランク状に形成することにより、同補強プレート３５０の強度向上を図りつつ、遊技盤８０の前面（詳しくは誘導レール１００）と発射レール１１２との前後位置を好適に揃えることができ、上記精度向上効果を一層顕著なものとすることができる。
【０１６１】
特に、遊技球発射機構１１０は、発射レール１１２において誘導レール１００寄りとなる端部付近にて補強プレート３５０（詳しくはベース部３６１）の前面に当接している。これにより、上述した位置精度向上効果を一層顕著なものとすることができる。
【０１６２】
遊技球発射機構１１０のベースプレート１１４と補強プレート３５０とを面接触させることで、遊技球発射機構１１０の安定性向上に貢献している。特に、補強プレート３５０のベース部３６１は左右に延びる長尺状をなしており、この長手方向に並ぶようにして発射レール１１２及びソレノイド１１１を並設することにより遊技球発射機構１１０（詳しくはベースプレート１１４）も横長状に構成されている。これにより、占有領域の無駄な拡がりを抑えつつ、ベース部３６１とベースプレート１１４との接触面積を拡張しており、上述した安定効果を一層好適なものとしている。
【０１６３】
誘導レール１００の入口部分１０４は、遊技盤８０の下端寄りとなる位置に配されており、その下端寄りとなる位置に上記ロック装置４００，補強プレート３５０及び遊技球発射機構１１０が集約されている。これにより、入口部分１０４詳しくは特定部位ＳＰと、遊技球発射機構１１０との相対位置の精度を好適なものとすることができる。
【０１６４】
なお、上述した実施の形態の記載内容に限定されず、例えば次のように実施してもよい。因みに、以下の別形態の構成を、上記実施の形態における構成に対して、個別に適用してもよく、相互に組み合わせて適用してもよい。
【０１６５】
（１）上記実施の形態では、「支持枠補強部材」としての補強プレート３５０を「支持枠」としての樹脂ベース６０にネジ３９１を用いて固定する構成としたが、補強プレート３５０の固定方法はこれに限定されるものではない。例えば、接着材を用いて固定することも可能であるし、樹脂ベース６０及び補強プレート３５０の少なくとも一方に他方を係止する係止部を設け、同係止部によって固定することも可能である。
【０１６６】
また、樹脂ベース６０に対する補強プレート３５０の位置決めができればよく、必ずしもプレート設置部６９を採用する必要はない。
【０１６７】
（２）上記実施の形態では、「支持枠補強部材」として板状の補強プレート３５０を採用した。支持枠補強部材は必ずしも板状である必要はなく、例えば棒状とすることも可能であるし、ブロック状とすることも可能である。特にブロック状をなす構成を採用する場合には、支持枠補強部材を中空状に形成し、強度を確保しつつ、重量増を抑えることが好ましい。
【０１６８】
（３）上記実施の形態では、「位置決め手段」としてのロック装置４００によって遊技盤８０の前後位置を規定する構成としたが、これに限定されるものではない。例えば、位置決め手段によって遊技盤８０の上下位置や左右位置を規定する構成とすることも可能である。以下、図１９（ａ）に基づきその具体例について説明する。図１９（ａ）は位置決め手段の変形例を示す概略図である。
【０１６９】
上記実施の形態では、樹脂ベース６０に位置決め突起７９を形成し、この位置決め突起７９によって遊技盤８０の左右位置を規定した。この位置決め突起を補強プレートに設けることも可能である。詳しくは、補強プレート９００の対向部９０１において、遊技盤８０の貫通孔９１の後方となる位置に貫通孔９０２を形成し、同貫通孔９０２に位置決めピン９１０を挿通させた状態で固定することも可能である。
【０１７０】
既に説明したように遊技球発射機構１１０（詳しくは発射レール１１２）の左右位置は、補強プレートによって規定されている。このため、補強プレート９００の位置決めピン９１０によって遊技盤８０の左右位置を規定することにより、遊技球発射機構１１０と遊技盤８０との相対位置（左右位置）の精度を好適に向上させることができる。
【０１７１】
（４）上記実施の形態では、「位置決め手段」としてのロック装置４００を補強プレート３５０に設置させた状態で樹脂ベース６０に固定する構成としたが、これを以下のように変更することも可能である。すなわち、ロック装置の固定対象を補強プレートに変更し、同ロック装置が補強プレートに設置されるとともに固定される構成とすることも可能である。以下、図１９（ｂ）に基づきその具体例について説明する。図１９（ｂ）はロック装置の取付構造の変形例を示す概略図である。
【０１７２】
図１９（ｂ）に示すように、補強プレート９２０の対向部９２１には、前後に貫通する貫通孔９２２が設けられている。貫通孔９２２はネジ４１８の挿通を許容する大きさに形成されており、対向部９２１において遊技盤８０とは反対側の板面、すなわち樹脂ベース６０の対向板部６２側の板面には、貫通孔９２２と連通するようにしてナット９２５が固定されている（詳しくは溶着されている）。ロック装置４００は、それらナット９２５に対してネジ４１８がねじ込まれることにより補強プレート９２０に対して固定されている。このようにロック装置４００を補強プレート９２０に固定することにより、更なる位置決め精度の向上に貢献することができる。
【０１７３】
（５）上記実施の形態では、補強プレート３５０をプレート設置部６９，下側壁部６６，対向板部６２に沿って折り曲げることにより、全体としてクランク状に形成したが、必ずしも補強プレートをクランク状にする必要はない。但し、補強プレートによって樹脂ベース６０を補強する点に着目すれば、同補強プレートの断面（自身の長手方向と直交する断面）がＬ字状やコ字状とすることにより強度向上を図ることが望ましい。このように、強度の向上を図る際には、補強プレートの占有領域の拡がりを抑えることが困難になると想定される。この点、上記実施の形態に示したように樹脂ベース６０の前面に沿って補強プレートを折り曲げる構成とすれば、そのような不都合を好適に払拭し、実用上好ましい構成を実現できる。
【０１７４】
（６）上記実施の形態では、遊技盤８０を「支持枠」としての樹脂ベース６０に対してパチンコ機１０の前方から取り付ける構成としたが、支持枠に対して遊技盤８０を後方から取り付ける構成とすることも可能である。この場合、遊技盤を補強プレートの背面に当接させることにより、同遊技盤の前後位置を規定し、同補強プレートの前面に遊技球発射機構（詳しくはベースプレート）を当接させることにより、同遊技球発射機構の前後位置を規定することにより、それら遊技盤と遊技球発射機構との相対位置の精度を好適に高めることができる。
【０１７５】
（７）上記実施の形態では、遊技盤８０がロック装置４００の操作部４４６に対してパチンコ機１０の後方から当接することにより、同遊技盤８０の前後位置を規定する構成としたが、これを変更し、ロック装置によって押された遊技盤が補強プレート３５０の対向部３８１に当接することにより、遊技盤８０の前後方向での位置決めを行う構成としてもよい。言い換えれば、遊技盤８０の前面を対象として同遊技盤８０の位置決めを行うのではなく、遊技盤８０の背面を対象として同遊技盤８０の位置決めを行うことも可能である。しかしながら、このような変更を行った場合には、遊技盤８０の厚みのばらつき等に起因して、遊技球発射機構１１０と遊技盤８０の前面との相対位置の位置精度が低下しやすくなると想定される。故に、望ましくは、遊技盤８０の前面を対象に位置決めを行うとよい。
【０１７６】
（８）上記実施の形態では、ロック装置４００のベースプレート４１０が樹脂ベース６０に対して固定される構成としたが、これに限定されるものではない。例えば、軸ピン４２０や操作レバー４４０を樹脂ベースに対して固定する構成とすることも可能である。
【０１７７】
なお、ロック装置４００は必ずしもユニット化する必要はく、個々の構成を個別に取り付ける構成とすることも可能である。この場合、少なくとも操作レバーを補強プレート３５０に取り付けることにより、実用上好ましい構成を実現できる。
【０１７８】
（９）上記実施の形態では、「発射部」としてのソレノイド１１１，「発射レール部」としての発射レール１１２等を「ベース体」としてのベースプレート１１４に固定することにより、発射に関する構成をユニット化した。このベースプレート１１４を補強プレート３５０に設置することにより、同補強プレート３５０に対する発射レール１１２の位置決めを行う構成としたが、これに限定されるものではない。例えば、発射レール１１２をベースプレート１１４を介することなく、補強プレート３５０に対して直接設置する構成とすることも可能である。
【０１７９】
（１０）上記実施の形態では、補強プレート３５０の長手方向に離れた２箇所、すなわち左右２箇所にて遊技球発射機構１１０（詳しくは発射レール１１２）の位置決めを行ったが、これを変更し、上下２箇所にて位置決めを行うことも可能である。但し、このような変更を行った場合には、補強プレート３５０が上下に拡張されると想定される。補強プレートは、樹脂ベース６０の回動基端部と回動先端部とを繋ぐように形成することにより、その補強効果を好適に発揮させることができる一方、回動中心軸線方向に延びる場合、補強効果によるメリットよりも重量増によるデメリットのほうが大きくなることが懸念される。故に、望ましくは遊技球発射機構１１０の位置決めを、左右の複数箇所にて行うことよい。
【０１８０】
また、ベースプレート１１４と補強プレート３５０のベース部３６１とを面接触させるとともに、その接触範囲が補強プレート３５０の短手方向（上下方向）と比較して長手方向（左右方向）に拡がる構成としたが、これを変更し、上記接触範囲が補強プレート３５０の長手方向と比較して短手方向に拡がる構成とすることも可能である。
【０１８１】
（１１）上記実施の形態では、補強プレート３５０をプレート部材２８１とともに樹脂ベース６０に対して共締めする構成としたが、両者を別個独立してネジ止めする構成とすることも可能である。
【０１８２】
（１２）上記実施の形態では、遊技球発射機構１１０のベースプレート１１４の前面（詳しくは発射レール１１２）が設置されている面と、遊技盤８０の前面とが面一となる構成としたが、これに限定されるものではない。少なくとも、発射レール１１２から発射される遊技球の通過軌道と遊技盤の下端縁との干渉が回避されていればよい。例えば、発射レール１１２が遊技盤の前面よりも前側に位置する構成とするとよい。
【０１８３】
（１３）上記実施の形態では、ロック装置４００の操作部４４６を回動させることでロック状態とアンロック状態とを切り替える構成としたが、これを変更し、操作部を特定方向にスライド移動させることでロック状態とアンロック状態とを切り替える構成としてもよい。
【０１８４】
（１４）ロック装置４００の配置は任意である。例えば遊技盤８０の回動基端に寄せて配置することも可能である。但し、前扉枠１４の回動基端側に寄せて配置している場合には、ロック装置４００を回動させるための作業スペースの確保が難しくなり得る。故に、好ましくは前扉枠１４の回動先端側、すなわち遊技盤８０の回動先端側に寄せて配置するとよい。
【０１８５】
（１５）上記実施の形態では、操作部４４６の操作量が所定量に達すると、遊技盤８０を押すプッシャ４３０が一気に突出する構成としたが、これを以下のように変更することも可能である。すなわち、操作部４４６の操作量の増加に応じてプッシャ４３０の突出量が徐々に増加する構成としてもよい。
【０１８６】
（１６）上記実施の形態では、操作部４４６がアンロック位置から遊技盤８０の前面に対して当接する位置まで回動した場合に、プッシャ４３０が遊技盤８０を押す構成としたが、これを以下のように変更してもよい。すなわち、操作部４４６がアンロック位置から遊技盤８０の前面に対して当接する位置まで回動する前の時点で、プッシャ４３０が遊技盤８０を押す構成とすることも可能である。但し、このような変更を行った場合には、操作部４４６の操作がプッシャ４３０に押された遊技盤８０によって妨げられやすくなると想定される。これは、ロック装置４００の切替操作をやりにくくする要因となり得る。この点、上記実施の形態に示すように、操作部４４６が遊技盤８０によって邪魔されない位置まで回動した後、プッシャ４３０が遊技盤８０を押す構成とすれば、確かに操作部４４６と遊技盤８０との間に摩擦は生じるものの、操作部４４６が遊技盤８０（詳しくは挿通部９２の内面）につかえるといった不都合を回避することができる。
【０１８７】
（１７）上記実施の形態では、ロック装置４００がアンロック状態である場合に、操作部４４６の長手方向と、遊技盤８０の回動中心軸線に直交する方向とが一致する構成としたが、これに限定されるものではない。例えば、操作部４４６の長手方向と、遊技盤８０の回動中心軸線に直交する方向とが相違する構成としてもよい。但しこの場合、遊技盤８０が回動する構成であるが故に、挿通部９２における操作部４４６の通過隙を大きく設定する必要が生じる。これは、操作部４４６において遊技盤８０に当接する部位を操作レバー４４０の基部４４１から遠ざける要因となる。すなわち、遊技盤８０との掛かり代を減少させるとともに操作レバー４４０に加わる応力を増大させる要因となり得る。故に、望ましくは、アンロック状態においては操作部４４６の長手方向を遊技盤８０の回動中心軸線に直交する方向に揃えるとよい。
【０１８８】
（１８）上記実施の形態では、操作レバー４４０の操作部４４６が基部４４１の中心軸線を中心として対称形状をなす構成としたが、必ずしもそのように対称形状を成す必要はなく、中心軸線を挟んだ両側で形状が異なっていてもよい。
【０１８９】
また、操作部４４６が基部４４１を挟んだ上下両側にて遊技盤８０の前面と当接する構成としたが、これを変更し、基部４４１の上下両側のうち一方で遊技盤８０の前面と当接する構成とすることも可能である。例えば操作レバー４４０をＴ字状からＬ字状に変形し、遊技盤８０の前面に対する当接箇所を減らすことも可能である。
【０１９０】
（１９）上記実施の形態では、各操作レバー４４０が同一形状をなす一方で遊技盤８０の挿通部９２はそれぞれ異なる形状をなす構成としたが、これを変更し、各操作レバー４４０と同様に各挿通部９２の形状を統一してもよい。
【０１９１】
（２０）上記実施の形態では、操作レバー４４０の回動範囲を凡そ９０°に制限し、その範囲内でロック状態とアンロック状態とが切り替えられる構成としたが、操作レバー４４０の回動範囲はこれに限定されるものではない。例えば１８０°としてもよいし３６０°としてもよい。
【０１９２】
また、アンロック状態から時計回りに回動させることでロック状態に切り替えられ、ロック状態から反時計回りに回動させることでアンロック状態に切り替えられる構成としたが、これを以下のように変更してもよい。すなわち、同一方向への回動操作によりロック状態とアンロック状態との切り替えがなされる構成としてもよい。例えば、時計回りに１８０°回動させる毎にロック状態とアンロック状態とが切り替わる構成とすることも可能である。これにより、上記変形例（１７）に示した遊技盤８０と操作部４４６との掛かり代を確保しやすくできる。
【０１９３】
（２１）上記実施の形態では、対向板部６２が環状（詳しくは矩形枠状）をなす構成としたが、対向板部は遊技盤８０の背面に対向する平板状をなしていればよく、その外形は必ずしも環状でなくてもよい。例えば、対向板部を内枠１３の左側枠部１３ｃ及び右側枠部１３ｄに跨って延びる長板状に形成してもよい。
【０１９４】
また、対向板部６２に補強や部材取付等を目的としたリブや凹み等の凹凸を有する構成としたが、それら凹凸等を有さない構成とすることも可能である。
【０１９５】
（２２）上記実施の形態では、対向板部６２と周壁部６３とによって遊技盤収容部６１を構成したが、同遊技盤収容部６１は必須ではない。少なくとも対向板部６２に相当する構成を有していればよく、周壁部６３を省略することも可能である。
【０１９６】
（２３）上記実施の形態では、遊技盤８０を固定する左右のロック装置４００の間に同遊技盤８０の左右位置を規定する位置決め突起７９を配置したが、ロック装置４００及び位置決め突起７９の位置関係は任意であり、２つのロック装置４００の間に位置決め突起７９を配置する必要はない。また、位置決め突起７９を左側のロック装置４００に寄せて配置したが、同位置決め突起を右側のロック装置４００に寄せて配置することも可能である。
【０１９７】
（２４）上記実施の形態では、遊技盤８０を装着完了位置に配置する過程で、先ずロック装置４００の操作部４４６が遊技盤８０の挿通部９２に入り、その後、位置決め突起７９が遊技盤８０の貫通孔９１に入る構成としたが、これを変更し、位置決め突起７９が貫通孔９１に入った後、操作部４４６が挿通部９２に入る構成とすることも可能である。但し、この場合、遊技盤８０の左右位置が大きくばらついた状態にて位置決め突起７９が貫通孔９１には入ろうとするため、同位置決め突起７９が貫通孔９１に嵌らず遊技盤８０の背面等に衝突することが懸念される。これは、位置決め突起７９を変形させ、位置決め精度の低下を招く要因となり得るため好ましくない。故に、望ましくは、上記実施の形態に示したように、先ず操作部４４６及び挿通部９２によって遊技盤８０の大まかな位置ずれを抑え、ある程度位置決めの目処が立った状態にて位置決め突起７９が貫通孔９１に入る構成とするとよい。
【０１９８】
（２５）上記実施の形態では、位置決め突起７９が円柱状をなす構成としたが、同位置決め突起を角柱状とすることも可能である。また、位置決め突起７９の先端部分を縮径したが、これを省略することも可能である。
【０１９９】
（２６）上記実施の形態では、遊技盤８０の左右位置を規定する位置決め突起７９を同遊技盤８０の外レール１０２の背後に配置したが、これを変更し、位置決め突起７９をパチンコ機１０の正面視において外レール１０２よりも内側又は同外レール１０２よりも外側に配置することも可能である。但し、このように位置決め突起７９の配置を変更する場合であっても、特定部位ＳＰになるべく近づけて配置することが好ましい。
【０２００】
（２７）上記実施の形態では、誘導レール１００の入口部分１０４を遊技盤８０の下端寄りに配したが、同入口部分１０４を遊技盤８０の上端寄りに配することも可能である。但し、このような変更を行った場合には、入口部分１０４と遊技球発射機構１１０との間隔が拡がることで、遊技球の着地位置のばらつきが大きくなると想定される。この場合、入口部分１０４の近傍にて位置決め突起によって位置ばらつきを抑えたとしても、遊技球の発射ばらつきが支配的となり、位置決め突起による着地位置の安定化機能の恩恵を十分に享受できなくなると懸念される。故に、望ましくは、誘導レール１００の入口部分１０４を遊技盤８０の下端、すなわち遊技球発射機構１１０に近づけて配置するとよい。
【０２０１】
また、誘導レール１００の入口部分１０４を遊技盤８０の中央付近に配したが、例えば入口部分１０４を遊技盤８０の回動基端側の端部に寄せて配することも可能である。この場合、遊技球発射機構１１０についても同一側に寄せて配置するとよい。
【０２０２】
（２８）上記実施の形態では、遊技球発射機構１１０から発射された遊技球が、遊技盤８０の下端縁すなわち下側壁部６６の前方を斜めに横切る構成とした。言い換えれば、誘導レール１００の入口部分１０４と遊技球発射機構１１０における発射レール１１２の先端部分とが、下側壁部６６を挟んで斜めに対峙する構成とした。これを変更し、誘導レール１００の入口部分１０４と遊技球発射機構１１０における発射レール１１２の先端部分とを下側壁部６６を挟んで上下に配置し、遊技球発射機構１１０から発射された遊技球が、遊技盤８０の下端縁すなわち内枠１３の下側壁部６６を縦に横切る構成としてもよい。但し、この場合には、遊技球が内レール１０１側に逸れる可能性が生じ、遊技球の着地位置を特定するのが困難なものとなり得る。故に、望ましくは、遊技球の飛翔方向をわずかにでも外レール１０２側に傾けるのがよい。
【０２０３】
（２９）上記実施の形態では、外レール１０２が円弧状をなし、同外レール１０２の特定部位ＳＰにおける接線ＴＬが発射レール１１２のレール方向と同一方向とすることにより、遊技球着地時の衝撃を和らげるとともに、外レール１０２に沿った円滑な誘導を可能とした。これを以下のように変更してもよい。すなわち、外レール全体を円弧状にするのではなく、上記特定部位ＳＰを含んだ一部が発射レール１１２のレール方向と同一方向に延びる構成としてもよい。これにより、上記実施の形態と同様の効果が得られる。
【０２０４】
（３０）上記実施の形態では、位置決め突起７９が挿通される貫通孔９１にレール支持部材１０７を取り付けたが、このレール支持部材１０７を省略することも可能である。また、貫通孔９１以外の孔等を用いてレール支持部材１０７を取り付けることも可能である。
【０２０５】
（３１）遊技盤８０の厚さ方向に貫通している貫通孔９１に代えて、遊技盤８０の厚さ方向に貫通していない穴部又は凹部を用いることも可能である。更には、貫通孔が上下に拡張された長孔状をなし、位置決め突起７９の上下方向への移動を許容する構成としたが、これに限定されるものではない。例えば貫通孔９１の内形を位置決め突起７９の外形に合わせて形成し、それら貫通孔９１及び位置決め突起７９に上下方向の位置決め機能を付与することも可能である。しかしながら、このような変更を行った場合、位置決め突起７９に生じる負担が大きくなり、同位置決め突起７９の変形等を生じやすくなると想定される。これは、位置決め機能の低下を招く要因となり得るため好ましくない。故に、望ましくは、貫通孔９１を、遊技盤８０の上下の位置ばらつきを許容する隙間が位置決め突起７９との間に生じるように形成するとよい。
【０２０６】
（３２）上記実施の形態では、誘導レール１００を内レール１０１及び外レール１０２によって構成したが、必ずしもそれら両レールを必須とするものではない。少なくとも外レール１０２に相当するレールを有していればよい。また、内レール１０１及び外レール１０２を別体で設ける必要はなく、両者を一体的に設けること（例えば一体成形すること）も可能である。
【０２０７】
（３３）上記実施の形態では、遊技球発射ハンドル４１の操作量が第１規定量以上となった場合に、遊技球が外レール１０２の特定部位ＳＰに着地する構成としたが、これを変更し、操作量が第２規定量以上となった場合に、遊技球が外レール１０２の特定部位ＳＰに着地する構成とすることも可能である。遊技球発射ハンドル４１の操作量が増せば、遊技球の発射速度も増加する。遊技球の発射速度が、例えば返しゴムに到達するレベルまで高まると、外レール１０２に着地した際の衝撃も大きくなると想定される。少なくとも、このような高い発射速度で打ち出された遊技球の衝突位置のばらつきを抑制することで、外レール１０２の耐久性向上に貢献しやすくできる。
【０２０８】
（３４）上記実施の形態とは異なる他のタイプのパチンコ機等、例えば特別装置の特定領域に遊技球が入ると電動役物が所定回数開放するパチンコ機や、特別装置の特定領域に遊技球が入ると権利が発生して大当たりとなるパチンコ機、他の役物を備えたパチンコ機、アレンジボール機、雀球等の遊技機にも、本発明を適用できる。
【０２０９】
＜上記実施の形態から抽出される発明群について＞
以下、上述した実施の形態から抽出される発明群の特徴について、必要に応じて効果等を示しつつ説明する。なお以下においては、理解の容易のため、上記実施の形態において対応する構成を括弧書き等で適宜示すが、この括弧書き等で示した具体的構成に限定されるものではない。
【０２１０】
特徴１．前面側に遊技領域（遊技領域ＰＥ）が形成されている遊技盤（遊技盤８０）と、
前記遊技盤の前面から起立する壁状をなし、遊技球がその壁面に沿って移動することにより同遊技球を前記遊技領域に誘導する誘導手段（誘導レール１００）と、
前記遊技盤を着脱可能に支持する支持枠（内枠１３の樹脂ベース６０）と、
前記支持枠に固定されているとともに、前記遊技盤の下端に沿って配置されている支持枠補強部材（補強プレート３５０）と、
前記支持枠補強部材に設けられ、前記支持枠に対しての前記遊技盤の取付位置を規定する位置決め手段（例えばロック装置４００）と、
前記支持枠補強部材に設けられ、遊技球発射部（ソレノイド１１１）によって発射された遊技球を前記誘導手段に導く発射レール部（発射レール１１２）と
を備えていることを特徴とする遊技機。
【０２１１】
特徴１によれば、遊技盤を支持枠に対して着脱可能な構成とすることにより、同遊技盤のメンテナンス作業の容易化等に貢献することができる。遊技球発射部によって発射された遊技球は、発射レール部→誘導手段の順に移動し遊技領域に到達する。
【０２１２】
発射レール部は支持枠補強部材に設けられているとともに、遊技盤（詳しくは誘導手段）は支持枠補強部材に設けられた位置決め手段によって位置決めされている。これにより、発射レール部及び遊技盤（詳しくは誘導手段）の相対位置の精度を高めることができ、発射レール部から発射された遊技球の誘導手段に対する着地位置の精度向上に貢献できる。故に、誘導手段による遊技球の誘導の円滑化が期待できる。
【０２１３】
特徴２．前記支持枠には、前記遊技盤の通過を許容する開口部位を有し、同遊技盤を収容する収容部（遊技盤収容部６１）が形成されており、
前記支持枠補強部材は、前記支持枠における前記開口部位を挟んで設けられた１組の枠部（左側枠部１３ｃ及び右側枠部１３ｄ）に跨るようにして形成されていることを特徴とする特徴１に記載の遊技機。
【０２１４】
遊技盤を収容部に収容する構成においては、その収容部の開口部位周辺にて強度が低下すると想定される。そこで、上述した支持枠補強部材を開口部位を挟んで設けられた１組の枠部に跨るようにして形成することにより、上述した補強効果を好適に発揮させることができる。
【０２１５】
例えば、支持枠補強部材を、支持枠の前面と、収容部の周壁面において遊技盤の下端部に相対向している部位と、収容部の奥壁とに沿って前後に折れ曲がるように形成するとよい。これにより、開口部位周辺での補強効果を一層好適なものとすることができる。
【０２１６】
特徴３．前記支持枠は、前記遊技盤が前記支持枠に対して遊技機前方から着脱可能となるように構成されており、
前記支持枠補強部材は、前記遊技盤の背面に対向する対向部（対向部３８１）と前記遊技盤の前面に対して略同一平面上に位置する平面部（ベース部３６１）とを有し、それら対向部及び平面部が段差部（延出部３７１）を介して連なるようにして一体成形されており、
前記位置決め手段は前記対向部に配されているとともに、前記発射レール部は前記平面部に配されていることを特徴とする特徴１又は特徴２に記載の遊技機。
【０２１７】
特徴３によれば、支持枠補強部材の強度向上を図りつつ、遊技盤の前面（詳しくは誘導手段）と発射レール部との前後位置を好適に揃えることができ、上記精度向上効果を一層顕著なものとすることができる。
【０２１８】
特徴４．前記発射レール部は、前記支持枠補強部材とは別体で形成されているとともに、少なくとも前記遊技盤側の端部が前記支持枠補強部材に設置されていることを特徴とする特徴１乃至特徴３のいずれか１つに記載の遊技機。
【０２１９】
特徴１等に示した構成を実現する場合、発射レール部における遊技盤側の端部を支持枠補強部材に設置するとよい。このように少なくとも遊技盤側の端部を設置しておくことで、上述した着地位置のばらつきを好適に抑えることができる。
【０２２０】
特徴５．前記発射レール部と、前記遊技球発射部と、それら発射レール部及び遊技球発射部が搭載されているベース体（ベースプレート１１４）とを有する発射ユニット（遊技球発射機構１１０）を備え、
前記発射レール部は、前記ベース体が前記支持枠補強部材に取り付けられることにより、前記支持枠に対して一体化されていることを特徴とする特徴１乃至特徴４のいずれか１つに記載の遊技機。
【０２２１】
特徴５によれば、発射に関する構成をユニット化した上で、その発射ユニットと支持枠と一体化することにより、メンテナンス作業の容易化と位置精度の向上とに貢献できる。
【０２２２】
特徴６．前記発射レール部は、前記誘導手段側の端部が上位となるように傾けて配置されており、
前記遊技球発射部は、前記発射レール部の下流側に配されており、
前記ベース体は、当該ベース体において前記遊技盤側となる部位であって前記発射レール部の上流側端部寄りとなる部位と前記遊技球発射部寄りとなる部位にて前記支持枠補強部材に対して位置決めされていることを特徴とする特徴５に記載の遊技機。
【０２２３】
特徴６によれば、発射レール部において誘導手段側となる部位の位置精度を向上することができる。特に支持枠補強部材は遊技盤の下端に沿って延びており、この支持枠補強部材の長手方向にて、詳しくは発射レール部の上流側端部寄りとなる部位と遊技球発射部寄りとなる部位にて位置決めを行うことにより、発射レール部の位置精度を好適に高めることができる。確かに、支持枠補強部材を上下に幅広となるように形成し、ベース体の上端寄り及び下端寄りとなる両部位にて位置決めを行うことも可能である。しかしながら、このような対応を行った場合、支持枠補強部材が無駄に大型化し、補強機能の向上よるメリットりも重量増によるデメリットのほうが大きくなると想定される。この点、上述の如く、ベース体の位置決めを工夫することにより、支持枠補強部材の大型化を抑えつつ、位置決め精度を向上でき、実用上好ましい構成を実現できる。
【０２２４】
特徴７．前記支持枠は、合成樹脂により形成され、
前記支持枠補強部材は、前記支持枠よりも高強度の金属板により形成されていることを特徴とする特徴１乃至特徴６のいずれか１つに記載の遊技機。
【０２２５】
支持枠を合成樹脂によって形成している場合、遊技機の軽量化及び製造容易化が期待できる反面、同支持枠の撓みや捩れが生じやすいと想定される。そこで、高強度の金属板からなる支持枠補強部材によって支持枠を補強することにより、上述した撓みや捩れを好適に抑えることができる。このように、強度が確保されている部材に対して発射レール部及び位置決め手段を配設することで、実用上好ましい構成が実現できる。
【０２２６】
特徴８．前記位置決め手段は、前記遊技盤の下端寄りに配置されていることを特徴とする特徴１乃至特徴７のいずれか１つに記載の遊技機。
【０２２７】
特徴８によれば、少なくとも発射レール側の端部近傍における遊技盤の位置精度を向上することができる。これにより、例えば遊技球の着地位置のばらつきを抑えやすくできる。例えば、遊技盤の下端縁に沿って複数の位置決め手段を配列するとよい。
【０２２８】
特徴９．前記支持枠は、前記遊技盤を遊技機前方から着脱可能となるように構成されており、
前記位置決め手段は、前記誘導手段において前記遊技球発射装置から発射された遊技球が入る入口部（入口部分１０４）の近傍に配されていることを特徴とする特徴１乃至特徴８のいずれか１つに記載の遊技機。
【０２２９】
特徴９によれば、遊技盤を遊技機前方（支持枠の前面側）から着脱可能とすることにより、遊技盤を遊技機後方（支持枠の背面側）から着脱する構成と比較して、位置決め手段の配置自由度を高め、特定の位置における位置精度を担保しやすくしている。具体的には、遊技盤を支持枠の背面側から着脱する構成においては、例えば遊技領域に対して前後に重なる位置や、遊技盤に装着されている各種遊技部品等に対して前後に重なる位置には位置決め手段を配置することが困難であるが、遊技盤を支持枠の前面側から着脱する構成においては、位置決め手段の配置に上述したような制限が生じることを抑制できる。このように位置決め手段の配置自由度を向上し、特に誘導手段の入口部の近傍に位置決め手段を設けることにより、入口部の位置精度を向上し、遊技球の着地位置のばらつきを抑制することが可能となる。これにより、誘導手段による遊技球の誘導の円滑化に貢献できる。また、遊技球着地時の衝撃が想定以上に大きくなることを抑制し、誘導手段や同誘導手段の取り付け構造の強化を回避しつつ、誘導手段の耐久性を向上できる。故に、構造の煩雑化を抑制しつつ誘導手段の耐久性を向上することが可能となる。
【０２３０】
特徴１０．前記位置決め手段は、前記誘導手段の入口部を挟んだ左右両側にそれぞれ配置されていることを特徴とする特徴９に記載の遊技機。
【０２３１】
特徴１０よれば、遊技盤の位置精度を誘導手段の入口部にて更に向上させることができ、特徴９に示した効果を更に顕著なものとすることができる。
【０２３２】
特徴１１．前記支持枠によって回動可能に支持され、前記遊技盤を前方から覆う扉体（前扉枠１４）と、
前記支持枠において前記扉体が支持されている側と同一側に設けられているとともに、前記扉体を支持されている側とは反対側に開放されており、同扉体が支持されている側とは反対側から前記遊技盤が挿入される挿入部（挿入部２９０）と
を備え、
前記遊技盤は、前記挿入部に挿入された状態で当該挿入部を中心として回動されることにより前記支持枠に対して着脱されるものであり、
前記扉体に設けられ、遊技球を貯留する貯留皿（上皿２８ａや下皿２９ａ）と、
前記遊技盤において前記入口部の回動基端側となる部位に形成され、当該遊技盤の回動基端側に開放された開放部（切欠き部８８）と、
前記開放部を通じて前記支持枠及び前記扉体に跨って設けられているとともに、前記貯留皿よりも上位に配置され、遊技球を前記貯留皿に導く誘導通路部（通路形成部材１２１等）と
を備え、
前記挿通部は、前記開放部に連なるとともに前記遊技盤の回動基端側に開放されていることを特徴とする特徴１０に記載の遊技機。
【０２３３】
特徴１０に示したように位置決め手段が入口部を挟んだ両側に配置されている場合には、両位置決め手段のうち入口部よりも回動基端側に位置する一方によって挿入部への遊技盤の挿入が妨げられやすくなることが懸念される。特に、入口部を遊技盤の幅方向における中央に配置している場合には、そのような不都合が顕著になると想定される。
【０２３４】
また、誘導通路が貯留皿よりも上位に位置することにより遊技球を同貯留皿へ誘導する際にそれら遊技球の自重を利用して同遊技球を移動させることが可能となる。しかしながら、近年においては遊技領域が拡張される傾向にあり、これによって誘導通路の配置が制限されやすくなっている。つまり、誘導通路が遊技領域（遊技盤）の拡張によって下方へと押しやられることが懸念される。これは、貯留皿への遊技球の誘導を難しくする要因となり得る。
【０２３５】
この点、本特徴においては、遊技盤に開放部を設けることで、上記誘導通路と遊技盤との共存が可能となっている。つまり、遊技領域を拡張しつつ誘導通路の位置を貯留皿よりも上位に配置することが可能となっている。更に、この開放部に連なるようにして回動基端側の位置決め手段用の挿通部を形成し、その挿通部を回動基端側に開放させることで、遊技盤を挿入する際の同位置決め手段と同挿通部との干渉を回避することができる。これにより、誘導通路の配置と遊技領域の拡張とを好適に実現し、更には位置決め精度の向上と遊技盤の挿入作業の容易化とを好適に両立することができる。
【０２３６】
例えば、遊技盤における回動基端側の下隅部にて回動基端側及び下側に開放された切欠きによって前記開放部を構成するとよい。
【０２３７】
特徴１２．前記遊技盤を前記支持枠に対して遊技機前方から取付可能な遊技機であって、
前記遊技盤には、前記遊技盤の厚さ方向に貫通する挿通部（挿通部９２）が形成されており、
前記位置決め手段は、
前記挿通部を通って前記遊技盤の前面側に突出して設けられているとともに前記支持枠補強部材に取り付けられ、前記遊技盤の前面に対向し当該遊技盤の前面と当接することで同遊技盤の遊技機前方への移動を不可とする位置決め状態、及び前記遊技盤の遊技機前方への移動を許容する位置決め解除状態の両状態に切替可能に設けられた操作部（操作レバー４４０の操作部４４６）と、
前記遊技盤の後方に設けられ、前記操作部が前記位置決め解除状態から前記位置決め状態に切り替えられた場合に同遊技盤の背面を前記操作部側に向けて押える押え部（プッシャ４３０）と
を備えていることを特徴とする特徴１乃至特徴１１のいずれか１つに記載の遊技機。
【０２３８】
特徴１２によれば、位置決め手段の操作部を位置決め状態に切り替えることにより、操作部が遊技盤の前面に対向する位置に配置され、且つ遊技盤が押え部によって遊技機前方に向けて押されることとなる。遊技盤の前方には操作部が位置しているため、同遊技盤は操作部に押えつけられることとなる。操作部は支持枠補強部材に取り付けられているため、同操作部に対して遊技盤が当接することにより同遊技盤の前後位置が規定される。
【０２３９】
このように、遊技盤を前方から取り付ける構成において同遊技盤の前面基準で位置決めを行う構成とすれば、遊技盤の背面基準で位置決めを行う構成と比較して、同遊技盤の前面（すなわち上記遊技領域）の位置精度を向上できる。詳しくは、遊技盤の背面基準で位置決めをした場合、遊技盤における厚み等の製造ばらつきの影響により、遊技盤の前面の位置精度が低下しやすくなる。この点、本特徴においては、このような不都合を好適に払拭し、位置精度の向上に貢献できる。
【０２４０】
特徴１３．前記支持枠によって回動可能に支持され、前記遊技盤を前方から覆う扉体（前扉枠１４）と、
前記支持枠において前記扉体が支持されている側と同一側に設けられているとともに、前記扉体が支持されている側とは反対側に開放されており、同扉体が支持されている側とは反対側から前記遊技盤が挿入される挿入部（挿入部２９０）と
を備え、
前記遊技盤は、前記挿入部に挿入された状態で当該挿入部を中心として回動されることにより前記支持枠に対して着脱されるものであり、
前記位置決め手段は、前記支持枠補強部材において前記挿入部が設けられている側とは反対に配置され、
前記挿通部は、前記遊技盤を取付完了位置へ回動させる過程において前記操作部の通過を許容するものであることを特徴とする特徴１２に記載の遊技機。
【０２４１】
特徴１２によれば、支持枠側（詳しくは支持枠補強部材）に位置決め手段を設けたことで、例えば遊技盤を交換することにより機種変更を行うタイプの遊技機においては、位置決め手段の機種間での使いまわしが可能となり、リユース率の向上に貢献できる。更には、位置決め手段を支持枠補強部材に設けることにより、遊技盤ごとに位置決め精度がばらつくことを抑制可能となっている。
【０２４２】
また、支持枠に扉体が設けられている場合には、扉体を開放した状態で遊技盤を遊技機前方から真っ直ぐ押し込んで取り付けるのは難しくなり得る。特に、遊技機が遊技ホールの島設備に設置されている場合には、扉体の回動基端側において遊技盤を取り付ける際の作業スペースの確保や取付軌道の確保が困難になりやすいと想定される。この点、本特徴によれば、遊技盤を挿入部に挿入した後で、支持枠に対して回動させることにより取付完了位置に配置することができるため、上述した不都合を好適に払拭することができる。
【０２４３】
しかしながら、仮に上記位置決め手段を扉体の回動基端側（すなわち挿入部側）に配置すると、遊技盤を挿入する際に位置決め手段が引っ掛かりやすくなったり、上記操作部を操作しにくくなったりし得る。そこで、本特徴においては、位置決め手段を挿入部が設けられている側とは反対に配置した。これにより、位置決め手段が遊技盤の取付作業の妨げとなることを抑制している。
【０２４４】
特徴１４．前記位置決め手段には、前記支持枠補強部材から前記遊技盤に向けて起立し、前記挿通部に沿って延びる軸部（軸ピン４２０）が設けられ、
前記操作部は、前記軸部において前記挿通部から突出している先端部分から当該軸部と交差する方向に延出するようにして形成されているとともに、前記位置決め解除状態では当該操作部の長手方向が遊技盤の回動基端側から回動先端側に向き、前記位置決め解除状態ではそれとは異なる方向を向くように前記軸部の中心軸線を中心とした回動が許容されており、
前記挿通部は、当該遊技盤の回動基端側から回動先端側に延び、前記位置決め解除状態での前記操作部の通過を許容するように形成されていることを特徴とする特徴１３又は特徴１４に記載の遊技機。
【０２４５】
特徴１３及び特徴１４に示した構成においては、遊技盤回動時の同遊技盤と位置決め手段との干渉を回避すべく挿通部の開放部位を大きくすると、操作部と遊技盤との掛かり代を確保しにくくなる。特に位置決め手段を回動式とした場合には、回動中心から掛かり部分までの距離が大きくなると、遊技盤の押えが難しくなり、上記押え部の押え力によってかえって遊技盤の位置決め精度が低下し得る。
【０２４６】
この点、本特徴によれば、挿通部の開放部位の大きさを操作部に対して無駄に大きくしなくてもよくなり、操作部と遊技盤との掛かり代を確保しやすくできる。更には、操作部の回動中心から掛かり部分までの距離を小さくすることができる。これにより、操作部（詳しくは位置決め手段）の変形を抑え。位置決め精度の向上に貢献できる。
【０２４７】
特徴１５．前記操作部と前記押え部とが前記遊技盤を挟んで対峙していることを特徴とする特徴１２乃至１４のいずれか１つに記載の遊技機。
【０２４８】
特徴１５によれば、遊技盤を操作部と押え部とで挟み込むことで遊技盤の位置決め精度の向上に貢献できる。
【０２４９】
特徴１６．前記押え部は、前記操作部が前記位置決め解除状態から前記位置決め状態に切り替えられた場合に、前記遊技盤を当該遊技盤の背面側から押す状態から、同遊技盤を押さない状態に切り替えられるものであることを特徴とする特徴１２乃至特徴１５のいずれか１つに記載の遊技機。
【０２５０】
特徴１６によれば、操作部を位置決め解除状態に切り替えることにより、遊技盤の取り外しが可能となる。この際、操作部を操作することで、押え部による遊技盤の押えが回避されるため、位置決め解除後に遊技盤が押え部に押されて移動することを抑制できる。これにより、例えば操作部を操作している手等が遊技盤に干渉するといった不都合を生じにくくすることができる。
【０２５１】
特徴１７．前記押え部は、前記操作部が前記遊技盤の前面と対向している状態において、前記遊技盤を当該遊技盤の背面側から押す状態と、同遊技盤を押さない状態との切り替えがなされるものであることを特徴とする特徴１２乃至特徴１６のいずれか１つに記載の遊技機。
【０２５２】
特徴１７によれば、操作部が遊技盤と対向している状態にて、同遊技盤を押す状態と押さない状態との切り替えがなされる。これにより、遊技盤を装着する際の抵抗を抑えることができ、更には遊技盤を取り外す際に同遊技盤が押え部に押されて不意に移動して手等に干渉するといった不都合を生じにくくできる。
【０２５３】
特徴１８．前記位置決め手段は、前記操作部と前記押え部とがユニット化された状態で前記支持枠補強部材に設置されていることを特徴とする特徴１２乃至特徴１８のいずれか１つに記載の遊技機。
【０２５４】
特徴１２に示した位置決め手段を採用する場合、本特徴に示すように操作部と押え部とをユニット化しておくことにより、メンテナンス作業の容易化等に貢献することができる。また、押え部と操作部との位置関係のばらつきを抑制し、操作部に加わる負荷の増大を抑えることができる。
【０２５５】
特徴１９．前記位置決め手段は、前記発射レール部の略延長上に配されていることを特徴とする特徴９に記載の遊技機。
【０２５６】
特徴１９によれば、遊技球発射部によって発射された遊技球は、発射レール部に沿って移動し、同発射レール部の延長先に向けて移動する。この場合、同遊技球は、位置決め手段において発射レール部の延長上に位置する部分（特定部位ＳＰ）に着地しやすくなると想定される。本特徴においては特に、位置決め手段を発射レール部の略延長上に配することにより、遊技球の着地想定位置の近くにて位置決めを行うことが可能となる。これにより、特徴５に示した各種効果を更に高めることができる。
【０２５７】
特徴２０．前記誘導手段は、遊技球が通過可能な隙間を隔てて内外二重に設けられた内レール（内レール１０１）及び外レール（外レール１０２）によって構成されており、
それら内レール及び外レールは、前記遊技領域の外方に凸となる湾曲状に形成されており、
前記位置決め手段は、遊技機の正面視において前記外レールと前後に重なる位置に配置されていることを特徴とする特徴９又は特徴１９に記載の遊技機。
【０２５８】
特徴２０によれば、位置決め手段を、遊技機の正面視において外レールと前後に重なる位置に配置することにより、発射レール部に対する誘導手段の位置精度を一層好適に向上でき、特徴９等に示した効果を更に高めることができる。
【０２５９】
特徴２１．前記位置決め手段は、前記遊技盤に形成された挿通部（貫通孔９１）に挿通されることにより前記遊技盤の前記支持枠に対しての取付位置を規定する突起（位置決め突起７９）を有していることを特徴とする特徴２０に記載の遊技機。
【０２６０】
特徴２１に示すように支持枠補強部材の突起が遊技盤の挿通部に挿通される構成とすることで、外レールの背後に位置決め手段を配置でき、特徴２０に示した構成を好適に実現することができる。
【０２６１】
特徴２２．前記挿通部は、前記遊技盤の厚さ方向に貫通する孔状をなし、
前記挿通部において前記突起が挿入される側とは反対には、前記外レールに対して前記内レールと対向している側とは反対から当接することにより、同外レールの変形を規制する規制部材（レール支持部材１０７）が取り付けられていることを特徴とする特徴２１に記載の遊技機。
【０２６２】
特徴２２によれば、規制部材によって外レールの変形を規制する構成とすることにより、外レールに遊技球が着地した際の衝撃を分散することが可能となる。特に、この規制部材を位置決め用の貫通孔に取り付けることにより、規制部材を例えば遊技球の着地位置に対応して配置しやすくできる。つまり、位置決め用の貫通孔を利用して規制部材を取り付けることで、より的確な位置にて外レールの変形を抑えることが可能となる。
【０２６３】
なお、貫通孔を規制手段の取付孔として活用することにより、構成の煩雑化を最小限に留めることができる。
【０２６４】
特徴２３．前記外レールに沿って配置され、当該外レールを前記遊技盤に固定する複数の固定部（固定ピン１０２ａ）を備え、
前記規制部材は、前記複数の固定部の間にて前記外レールに対して当接していることを特徴とする特徴２２に記載の遊技機。
【０２６５】
特徴２３によれば、外レールの撓み変形を許容しつつ、過度な変形（例えば塑性変形）を規制部材によって規制することができる。これにより、遊技球が着地（衝突）した際の接触時間を長くすることができ、同遊技球の着地によって発生する衝撃力を低減することができる。
【０２６６】
なお、外レールの撓み変形を許容する構成とした場合には、外レールが復元した際に振動が残留しやすくなると想定される。そこで、規制部材を外レールとは異なる固有振動値を有するように形成するとよい。これにより、誘導手段の緩衝機能と制振機能とを強化でき、実用上好ましい構成を実現可能となる。
【０２６７】
特徴２４．前記支持枠補強部材には前記遊技盤の背面に対向する対向部（対向部３８１）が設けられているとともに、前記突起は当該対向部に配されており、
前記支持枠補強部材に設けられ、前記遊技盤の前面に当接する当接部（ロック装置４００の操作部４４６）と、
前記支持枠補強部材に設けられ、前記遊技盤を前記当接部側に押す押し部（ベースプレート４１０の付勢部４１５やプッシャ４３０）と
を備え、
前記遊技盤が前記押し部に押され前記当接部に当接している状態では、前記対向部と前記挿通部との間に隙間が形成されることを特徴とする特徴２１乃至特徴２３のいずれか１つに記載の遊技機。
【０２６８】
突起による位置決め精度を向上させようとすれば、挿通部と突起とのクリアランスを小さくし、突起を挿通部内に完全に埋没させるとよい。しかしながら、このような構成を採用した場合、遊技盤の位置をずらすような負荷が僅かにでも加わると、その負荷が突起の根元部分に集中しやすくなると想定される。この負荷は例えば突起をせん断させるように作用するため、突起の耐久性の確保に課題が生じると想定される。
【０２６９】
この点、本特徴においては対向部と挿通部との間に隙間を形成し、突起の根元部分を挿通させない構成とすることで、突起の撓み（弾性変形）を利用して上述した負荷による同突起のせん断や折れ等の発生を抑制できる。これにより、位置決め手段による位置精度の向上を図りつつ同位置決め手段の耐久性を好適に向上させることができ、繰り返しの使用に耐え得る構成の実現に貢献できる。
【０２７０】
例えば、当接部及び押し部によって遊技盤の前後位置を規定するとよい。
【０２７１】
特徴２５．前記挿通部は、前記突起が挿通された状態にて、同突起との間にそれら突起及び挿通部の上下方向での相対移動を許容する隙間が形成されるように形成されていることを特徴とする特徴２１乃至特徴２４のいずれか１つに記載の遊技機。
【０２７２】
特徴２５によれば、仮に遊技盤の上下位置がばらついた場合であっても、そのばらつきによる影響が突起に及ぶことを抑制できる。つまり、上下位置のばらつきに伴って左右位置もばらつきやすくなるといった不都合を生じにくくすることができる。これにより、上述した遊技盤（詳しくは誘導手段）の位置精度の低下を極力抑えることができる。
【０２７３】
特に特徴２２や特徴２３（規制部材を有する構成）との組み合わせにおいては、例えば挿通部が上下に拡がる長孔状とし、同挿通部に規制部材の取付部分が嵌合する構成とすることで、以下の効果を享受できる。すなわち、規制部材の位置ずれ等を好適に抑制し、例えば、外レールから規制部材に負荷が伝播した場合に同規制部材が挿通部を中心に回動して誘導手段（詳しくは外レール）に対する規制位置がずれることを抑制できる。このように簡素な構成によって、規制部材の位置ずれを抑えることで実用上好ましい構成を実現できる。
【０２７４】
以下に、以上の各特徴を適用し得る遊技機の基本構成を示す。
【０２７５】
パチンコ遊技機：遊技者が操作する操作手段（遊技球発射ハンドル４１）と、その操作手段の操作に基づいて遊技球を発射する遊技球発射手段（遊技球発射機構１１０）と、その発射された遊技球を所定の遊技領域に導く球通路（誘導レール１００）と、遊技領域内に配置された各遊技部品（釘８７等）とを備え、それら各遊技部品のうち所定の通過部（一般入賞口８１等）を遊技球が通過した場合に遊技者に特典を付与する遊技機。
【符号の説明】
【０２７６】
１０…遊技機としてのパチンコ機、１３…内枠、１４…前扉枠、６０…支持枠としての樹脂ベース、６１…遊技盤収容部、６２…対向板部、６９…プレート設置部、８０…遊技盤、９２…挿通部、１００…誘導手段としての誘導レール、１０１…内レール、１０２…外レール、１０２ａ…固定部としての固定ピン、１０４…入口部分、１０７…レール支持部材、１１０…遊技球発射装置としての遊技球発射機構、１１１…遊技球発射部としてのソレノイド、１１２…発射レール部としての発射レール、１１３…球送装置、３５０…支持枠補強部材としての補強プレート、３６１…ベース部、３７１…連結部としての延出部、３８１…対向部、４００…位置決め手段としてのロック装置、４１５…付勢手段としての付勢部、４２０…軸ピン、４３０…プッシャ、４４０…操作レバー、４４６…操作部、ＰＥ…遊技領域、ＳＰ…特定部位。
【図１】
0005407607.tif 000002
【図２】
0005407607.tif 000003
【図３】
0005407607.tif 000004
【図４】
0005407607.tif 000005
【図５】
0005407607.tif 000006
【図６】
0005407607.tif 000007
【図７】
0005407607.tif 000008
【図８】
0005407607.tif 000009
【図９】
0005407607.tif 000010
【図１０】
0005407607.tif 000011
【図１１】
0005407607.tif 000012
【図１２】
0005407607.tif 000013
【図１３】
0005407607.tif 000014
【図１４】
0005407607.tif 000015
【図１５】
0005407607.tif 000016
【図１６】
0005407607.tif 000017
【図１７】
0005407607.tif 000018
【図１８】
0005407607.tif 000019
【図１９】
0005407607.tif 000020